(57)【要約】【課題】複数層の情報信号記録媒体とバッファメモリの間でｎ個の情報信号の転送レートの差を吸収して情報の再生を行う情報信号再生方法を提供する。【解決手段】ヘッド１４が媒体１３上の１つの信号層から複数の信号を再生する場合には、ΣＹｎ≧Ｒｐ×ΣＲｎ×ΣＳｎ／（Ｒｐ−ΣＲｎ）、ヘッド１４が媒体１３上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式を満たすようにし、媒体１３とメモリ１９との間でヘッド１４にｎ個の情報信号を時分割で転送する。【選択図】      図１２
2004234752.tif 000002
【特許請求の範囲】
【請求項１】
ｎ個（但し、ｎは２以上の整数）の情報信号をｎ個の位置にそれぞれ記録した、片方向から読み出し可能な少なくとも第１，第２の信号層を有する情報信号記録媒体を回転するステップと、
前記ｎ個の情報信号を一時的にバッファメモリに記憶し、且つ、前記バッファメモリから一時的に記憶した前記ｎ個の情報信号をそれぞれの転送レートで出力するステップと、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
前記ヘッドによる前記ｎ個の情報信号への転送レートと、前記バッファメモリから出力する前記ｎ個の情報信号の各転送レートとの差を前記バッファメモリで吸収するステップと、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生するステップとを有することを特徴とする情報信号再生方法。
【請求項２】
それぞれの転送レートで入力したｎ個（但し、ｎは２以上の整数）の情報信号をバッファメモリに一時的に記憶するステップと、
前記ｎ個の情報信号をそれぞれ記録するｎ個の位置を有する片方向から読み出し可能な少なくとも第１，第２の信号層を有する情報信号記録媒体を回転するステップと、
前記バッファメモリから読み出した前記ｎ個の情報信号をそれぞれの転送レートより速い一定の転送レートで前記情報信号記録媒体上の前記ｎ個の位置に一つのヘッドにより時分割で記録するステップと、
前記ヘッドによる前記ｎ個の情報信号への転送レートと、前記バッファメモリに入力した前記ｎ個の情報信号の各転送レートとの差を前記バッファメモリで吸収するステップと、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録するステップとを有することを特徴とする情報信号記録方法。
【請求項３】
ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転するステップと、
前記ｎ個の情報信号を一時的にバッファメモリに記憶し、且つ、前記情報信号記録媒体への記録用の情報信号と再生用の情報信号とをそれぞれの転送レートでバッファメモリに入出力するステップと、
前記バッファメモリに入力した情報信号をこの情報信号の転送レートより速い一定の転送レートで前記情報信号記録媒体に一つのヘッドから記録するステップと、
前記情報信号記録媒体から前記ヘッドにより再生した情報信号をこの信号の転送レートより速い前記一定の転送レートで前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生するステップとを有することを特徴とする情報信号記録再生方法。
【請求項４】
ｎ個（但し、ｎは２以上の整数）の情報信号をｎ個の位置にそれぞれ記録した、片方向から読み出し可能な少なくとも第１，第２の信号層を有する情報信号記録媒体を回転するステップと、
前記ｎ個の情報信号を一時的にバッファメモリに記憶し、且つ、前記バッファメモリから一時的に記憶した前記ｎ個の情報信号をそれぞれの転送レートで出力するステップと、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
前記ヘッドによる前記ｎ個の情報信号への転送レートと、前記バッファメモリから出力する前記ｎ個の情報信号の各転送レートとの差を前記バッファメモリで吸収するステップと、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生するステップとを、コンピュータに実行させることを特徴とする情報信号再生プログラム。
【請求項５】
それぞれの転送レートで入力したｎ個（但し、ｎは２以上の整数）の情報信号をバッファメモリに一時的に記憶するステップと、
前記ｎ個の情報信号をそれぞれ記録するｎ個の位置を有する片方向から読み出し可能な少なくとも第１，第２の信号層を有する情報信号記録媒体を回転するステップと、
前記バッファメモリから読み出した前記ｎ個の情報信号をそれぞれの転送レートより速い一定の転送レートで前記情報信号記録媒体上の前記ｎ個の位置に一つのヘッドにより時分割で記録するステップと、
前記ヘッドによる前記ｎ個の情報信号への転送レートと、前記バッファメモリに入力した前記ｎ個の情報信号の各転送レートとの差を前記バッファメモリで吸収するステップと、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録するステップとを、コンピュータに実行させることを特徴とする情報信号記録プログラム。
【請求項６】
ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転するステップと、
前記ｎ個の情報信号を一時的にバッファメモリに記憶し、且つ、前記情報信号記録媒体への記録用の情報信号と再生用の情報信号とをそれぞれの転送レートでバッファメモリに入出力するステップと、
前記バッファメモリに入力した情報信号をこの情報信号の転送レートより速い一定の転送レートで前記情報信号記録媒体に一つのヘッドから記録するステップと、
前記情報信号記録媒体から前記ヘッドにより再生した情報信号をこの信号の転送レートより速い前記一定の転送レートで前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生するステップとを、コンピュータに実行させることを特徴とする情報信号記録再生プログラム。
【請求項７】
ｎ個（但し、ｎは２以上の整数）の情報信号をｎ個の位置にそれぞれ記録した、片方向から読み出し可能な少なくとも第１，第２の信号層を有する情報信号記録媒体を回転するステップと、
前記ｎ個の情報信号を一時的にバッファメモリに記憶し、且つ、前記バッファメモリから一時的に記憶した前記ｎ個の情報信号をそれぞれの転送レートで出力するステップと、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
前記ヘッドによる前記ｎ個の情報信号への転送レートと、前記バッファメモリから出力する前記ｎ個の情報信号の各転送レートとの差を前記バッファメモリで吸収するステップと、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生するステップとを、コンピュータに実行させる情報信号再生プログラムを記録したことを特徴とする情報記録媒体。
【請求項８】
それぞれの転送レートで入力したｎ個（但し、ｎは２以上の整数）の情報信号をバッファメモリに一時的に記憶するステップと、
前記ｎ個の情報信号をそれぞれ記録するｎ個の位置を有する片方向から読み出し可能な少なくとも第１，第２の信号層を有する情報信号記録媒体を回転するステップと、
前記バッファメモリから読み出した前記ｎ個の情報信号をそれぞれの転送レートより速い一定の転送レートで前記情報信号記録媒体上の前記ｎ個の位置に一つのヘッドにより時分割で記録するステップと、
前記ヘッドによる前記ｎ個の情報信号への転送レートと、前記バッファメモリに入力した前記ｎ個の情報信号の各転送レートとの差を前記バッファメモリで吸収するステップと、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録するステップとを、、コンピュータに実行させる情報信号記録プログラムを記録したことを特徴とする情報記録媒体。
【請求項９】
ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転するステップと、
前記ｎ個の情報信号を一時的にバッファメモリに記憶し、且つ、前記情報信号記録媒体への記録用の情報信号と再生用の情報信号とをそれぞれの転送レートでバッファメモリに入出力するステップと、
前記バッファメモリに入力した情報信号をこの情報信号の転送レートより速い一定の転送レートで前記情報信号記録媒体に一つのヘッドから記録するステップと、
前記情報信号記録媒体から前記ヘッドにより再生した情報信号をこの信号の転送レートより速い前記一定の転送レートで前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生するステップとを、、コンピュータに実行させる情報信号記録再生プログラムを記録したことを特徴とする情報記録媒体。
【請求項１０】
ｎ個（但し、ｎは２以上の整数）の情報信号をｎ個の位置にそれぞれ記録した、片方向から読み出し可能な少なくとも第１，第２の信号層を有する情報信号記録媒体を回転する手段と、
前記ｎ個の情報信号を一時的にバッファメモリに記憶し、且つ、前記バッファメモリから一時的に記憶した前記ｎ個の情報信号をそれぞれの転送レートで出力する手段と、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送する手段と、
前記ヘッドによる前記ｎ個の情報信号への転送レートと、前記バッファメモリから出力する前記ｎ個の情報信号の各転送レートとの差を前記バッファメモリで吸収する手段と、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生する手段とを有することを特徴とする情報信号再生装置。
【請求項１１】
それぞれの転送レートで入力したｎ個（但し、ｎは２以上の整数）の情報信号をバッファメモリに一時的に記憶する手段と、
前記ｎ個の情報信号をそれぞれ記録するｎ個の位置を有する片方向から読み出し可能な少なくとも第１，第２の信号層を有する情報信号記録媒体を回転する手段と、
前記バッファメモリから読み出した前記ｎ個の情報信号をそれぞれの転送レートより速い一定の転送レートで前記情報信号記録媒体上の前記ｎ個の位置に一つのヘッドにより時分割で記録する手段と、
前記ヘッドによる前記ｎ個の情報信号への転送レートと、前記バッファメモリに入力した前記ｎ個の情報信号の各転送レートとの差を前記バッファメモリで吸収する手段と、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録する手段とを有することを特徴とする情報信号記録装置。
【請求項１２】
ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転する手段と、
前記ｎ個の情報信号を一時的にバッファメモリに記憶し、且つ、前記情報信号記録媒体への記録用の情報信号と再生用の情報信号とをそれぞれの転送レートでバッファメモリに入出力する手段と、
前記バッファメモリに入力した情報信号をこの情報信号の転送レートより速い一定の転送レートで前記情報信号記録媒体に一つのヘッドから記録する手段と、
前記情報信号記録媒体から前記ヘッドにより再生した情報信号をこの信号の転送レートより速い前記一定の転送レートで前記バッファメモリに転送する手段とを時分割して行う手段と、
前記ヘッドによる前記ｎ個の情報信号への転送レートと、前記バッファメモリに入出力する前記ｎ個の情報信号の転送レートとの差を前記バッファメモリで吸収する手段と、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生する手段とを有することを特徴とする情報信号記録再生装置。
【発明の詳細な説明】
【０００１】
【発明の属する技術分野】
本発明は、複数の映画等の映像情報や複数の音楽等の音声情報などによるｎ個（但し、ｎは２以上の整数）の情報信号を、ｎ個のバッファメモリを介して一つのピックアップ（又はヘッド）により時分割で光又は磁気などの少なくとも２層の信号面を有する情報信号記録媒体に記録及び／又は再生（記録、再生、記録再生）する情報信号再生方法、情報信号記録方法、情報信号記録再生方法、情報信号再生プログラム、情報信号記録プログラム、情報信号記録再生プログラム、情報記録媒体、情報信号再生装置、情報信号記録装置、情報信号記録再生装置に関するものである。
【０００２】
【従来の技術】
従来、情報信号記録媒体として光ディスクを適用する光ディスク装置（例えばＤＶＤプレーヤ、ＤＶＤレコーダ、ＤＶＤドライブとＰＣとソフトウェアによる組み合わせ）などでは、映画等の映像情報や音楽等の音声情報などの情報信号を圧縮して光ピックアップにより光ディスクに記録し、再生時に光ディスクから光ピックアップにより読み出した圧縮情報信号を伸長しており、更に、本出願人による下記する特許文献１には、複数の（ｎ個の）映画等の映像情報や音楽等の音声情報などの情報信号を圧縮して１つの光ピックアップにより光ディスクに記録し、再生時に光ディスクから光ピックアップにより読み出した圧縮情報信号を伸長する等の同時記録再生、同時再生中再生、同時記録中記録の処理を、複数の（ｎ個の）映画等の映像情報や音楽等の音声情報などの情報信号の転送レートと、光ディスクに記録再生する信号の転送レートと、２つの映画等の映像情報や音楽等の音声情報などの情報信号間の移動時間との関係に基づいて、バッファメモリで吸収することにより実現することを開示している。
【０００３】
【特許文献１】
特開２００１−２８３５１３号公報
【０００４】
【発明が解決しようとする課題】
ところで、上記特許文献１に開示された記録再生装置では、一つの信号面間における複数の（ｎ個の）信号間の移動という観点での処理として記録再生動作を良好に行うことができるように構成されているが、近年、光ディスクなどの情報信号記録媒体の高密度、大容量化に伴い、少なくとも２つの情報信号面を有する情報信号記録媒体の異なる領域に一つの光ピックアップヘッドにより２つの情報信号を交互に記録及び／又は再生することが要求されており、本発明は上記の要求を満たすために従来の技術に対して改良を図ったものである。
【０００５】
【課題を解決するための手段】
上記した課題を解決するために、本発明は下記（１）〜（１２）の構成を有する情報信号再生方法、情報信号記録方法、情報信号記録再生方法、情報信号再生プログラム、情報信号記録プログラム、情報信号記録再生プログラム、情報記録媒体、情報信号再生装置、情報信号記録装置、情報信号記録再生装置を提供する。
（１）    ｎ個（但し、ｎは２以上の整数）の情報信号をｎ個の位置にそれぞれ記録した、片方向から読み出し可能な少なくとも第１，第２の信号層を有する情報信号記録媒体を回転するステップと、
前記ｎ個の情報信号を一時的にバッファメモリに記憶し、且つ、前記バッファメモリから一時的に記憶した前記ｎ個の情報信号をそれぞれの転送レートで出力するステップと、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
前記ヘッドによる前記ｎ個の情報信号への転送レートと、前記バッファメモリから出力する前記ｎ個の情報信号の各転送レートとの差を前記バッファメモリで吸収するステップと、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生するステップとを有することを特徴とする情報信号再生方法。
（２）    それぞれの転送レートで入力したｎ個（但し、ｎは２以上の整数）の情報信号をバッファメモリに一時的に記憶するステップと、
前記ｎ個の情報信号をそれぞれ記録するｎ個の位置を有する片方向から読み出し可能な少なくとも第１，第２の信号層を有する情報信号記録媒体を回転するステップと、
前記バッファメモリから読み出した前記ｎ個の情報信号をそれぞれの転送レートより速い一定の転送レートで前記情報信号記録媒体上の前記ｎ個の位置に一つのヘッドにより時分割で記録するステップと、
前記ヘッドによる前記ｎ個の情報信号への転送レートと、前記バッファメモリに入力した前記ｎ個の情報信号の各転送レートとの差を前記バッファメモリで吸収するステップと、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録するステップとを有することを特徴とする情報信号記録方法。
（３）    ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転するステップと、
前記ｎ個の情報信号を一時的にバッファメモリに記憶し、且つ、前記情報信号記録媒体への記録用の情報信号と再生用の情報信号とをそれぞれの転送レートでバッファメモリに入出力するステップと、
前記バッファメモリに入力した情報信号をこの情報信号の転送レートより速い一定の転送レートで前記情報信号記録媒体に一つのヘッドから記録するステップと、
前記情報信号記録媒体から前記ヘッドにより再生した情報信号をこの信号の転送レートより速い前記一定の転送レートで前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生するステップとを有することを特徴とする情報信号記録再生方法。
（４）    ｎ個（但し、ｎは２以上の整数）の情報信号をｎ個の位置にそれぞれ記録した、片方向から読み出し可能な少なくとも第１，第２の信号層を有する情報信号記録媒体を回転するステップと、
前記ｎ個の情報信号を一時的にバッファメモリに記憶し、且つ、前記バッファメモリから一時的に記憶した前記ｎ個の情報信号をそれぞれの転送レートで出力するステップと、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
前記ヘッドによる前記ｎ個の情報信号への転送レートと、前記バッファメモリから出力する前記ｎ個の情報信号の各転送レートとの差を前記バッファメモリで吸収するステップと、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生するステップとを、コンピュータに実行させることを特徴とする情報信号再生プログラム。
（５）    それぞれの転送レートで入力したｎ個（但し、ｎは２以上の整数）の情報信号をバッファメモリに一時的に記憶するステップと、
前記ｎ個の情報信号をそれぞれ記録するｎ個の位置を有する片方向から読み出し可能な少なくとも第１，第２の信号層を有する情報信号記録媒体を回転するステップと、
前記バッファメモリから読み出した前記ｎ個の情報信号をそれぞれの転送レートより速い一定の転送レートで前記情報信号記録媒体上の前記ｎ個の位置に一つのヘッドにより時分割で記録するステップと、
前記ヘッドによる前記ｎ個の情報信号への転送レートと、前記バッファメモリに入力した前記ｎ個の情報信号の各転送レートとの差を前記バッファメモリで吸収するステップと、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録するステップとを、コンピュータに実行させることを特徴とする情報信号記録プログラム。
（６）    ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転するステップと、
前記ｎ個の情報信号を一時的にバッファメモリに記憶し、且つ、前記情報信号記録媒体への記録用の情報信号と再生用の情報信号とをそれぞれの転送レートでバッファメモリに入出力するステップと、
前記バッファメモリに入力した情報信号をこの情報信号の転送レートより速い一定の転送レートで前記情報信号記録媒体に一つのヘッドから記録するステップと、
前記情報信号記録媒体から前記ヘッドにより再生した情報信号をこの信号の転送レートより速い前記一定の転送レートで前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生するステップとを、コンピュータに実行させることを特徴とする情報信号記録再生プログラム。
（７）    ｎ個（但し、ｎは２以上の整数）の情報信号をｎ個の位置にそれぞれ記録した、片方向から読み出し可能な少なくとも第１，第２の信号層を有する情報信号記録媒体を回転するステップと、
前記ｎ個の情報信号を一時的にバッファメモリに記憶し、且つ、前記バッファメモリから一時的に記憶した前記ｎ個の情報信号をそれぞれの転送レートで出力するステップと、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
前記ヘッドによる前記ｎ個の情報信号への転送レートと、前記バッファメモリから出力する前記ｎ個の情報信号の各転送レートとの差を前記バッファメモリで吸収するステップと、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生するステップとを、コンピュータに実行させる情報信号再生プログラムを記録したことを特徴とする情報記録媒体。
（８）    それぞれの転送レートで入力したｎ個（但し、ｎは２以上の整数）の情報信号をバッファメモリに一時的に記憶するステップと、
前記ｎ個の情報信号をそれぞれ記録するｎ個の位置を有する片方向から読み出し可能な少なくとも第１，第２の信号層を有する情報信号記録媒体を回転するステップと、
前記バッファメモリから読み出した前記ｎ個の情報信号をそれぞれの転送レートより速い一定の転送レートで前記情報信号記録媒体上の前記ｎ個の位置に一つのヘッドにより時分割で記録するステップと、
前記ヘッドによる前記ｎ個の情報信号への転送レートと、前記バッファメモリに入力した前記ｎ個の情報信号の各転送レートとの差を前記バッファメモリで吸収するステップと、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録するステップとを、、コンピュータに実行させる情報信号記録プログラムを記録したことを特徴とする情報記録媒体。
（９）    ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転するステップと、
前記ｎ個の情報信号を一時的にバッファメモリに記憶し、且つ、前記情報信号記録媒体への記録用の情報信号と再生用の情報信号とをそれぞれの転送レートでバッファメモリに入出力するステップと、
前記バッファメモリに入力した情報信号をこの情報信号の転送レートより速い一定の転送レートで前記情報信号記録媒体に一つのヘッドから記録するステップと、
前記情報信号記録媒体から前記ヘッドにより再生した情報信号をこの信号の転送レートより速い前記一定の転送レートで前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生するステップとを、、コンピュータに実行させる情報信号記録再生プログラムを記録したことを特徴とする情報記録媒体。
（１０）    ｎ個（但し、ｎは２以上の整数）の情報信号をｎ個の位置にそれぞれ記録した、片方向から読み出し可能な少なくとも第１，第２の信号層を有する情報信号記録媒体を回転する手段と、
前記ｎ個の情報信号を一時的にバッファメモリに記憶し、且つ、前記バッファメモリから一時的に記憶した前記ｎ個の情報信号をそれぞれの転送レートで出力する手段と、
前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送する手段と、
前記ヘッドによる前記ｎ個の情報信号への転送レートと、前記バッファメモリから出力する前記ｎ個の情報信号の各転送レートとの差を前記バッファメモリで吸収する手段と、
前記ヘッドから前記バッファメモリに転送する前記ｎ個の情報信号の転送レート…Ｒｐ、
前記ｎ個の情報信号を前記バッファメモリから出力する各転送レートの総和…ΣＲｎ、
前記ｎ個の情報信号の各再生情報単位量を前記ヘッドから前記バッファメモリに転送する情報単位量の総和…ΣＹｎ、
前記ヘッドが前記情報信号記録媒体上での現在の位置から次の位置に移動に要する各時間の総和…ΣＳｎ、
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体から前記ｎ個の情報信号を時分割で再生する手段とを有することを特徴とする情報信号再生装置。
（１１）    それぞれの転送レートで入力したｎ個（但し、ｎは２以上の整数）の情報信号をバッファメモリに一時的に記憶する手段と、
前記ｎ個の情報信号をそれぞれ記録するｎ個の位置を有する片方向から読み出し可能な少なくとも第１，第２の信号層を有する情報信号記録媒体を回転する手段と、
前記バッファメモリから読み出した前記ｎ個の情報信号をそれぞれの転送レートより速い一定の転送レートで前記情報信号記録媒体上の前記ｎ個の位置に一つのヘッドにより時分割で記録する手段と、
前記ヘッドによる前記ｎ個の情報信号への転送レートと、前記バッファメモリに入力した前記ｎ個の情報信号の各転送レートとの差を前記バッファメモリで吸収する手段と、
前記ヘッドに前記バッファメモリから転送する前記ｎ個の情報信号の転送レート…Ｒｐ、
前記ｎ個の情報信号を前記バッファメモリに入力する各転送レートの総和…ΣＲｎ、
前記ｎ個の情報信号の各記録情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録する場合には、
ΣＹｎ≧Ｒｐ×ΣＲｎ×（ΣＳｎ＋ΣＦｍ）／（Ｒｐ−ΣＲｎ）
の関係式を満たして前記バッファメモリから前記ｎ個の情報信号を前記情報信号記録媒体に時分割で記録する手段とを有することを特徴とする情報信号記録装置。
（１２）    ｎ個（但し、ｎは２以上の整数）の情報信号のうち少なくとも一つの情報信号を記録し、残りの情報信号を再生するための記録再生用の片方向から読み出し可能な少なくとも第１，第２の信号層を有する情報信号記録媒体を回転する手段と、
前記ｎ個の情報信号を一時的にバッファメモリに記憶し、且つ、前記情報信号記録媒体への記録用の情報信号と再生用の情報信号とをそれぞれの転送レートでバッファメモリに入出力する手段と、
前記バッファメモリに入力した情報信号をこの情報信号の転送レートより速い一定の転送レートで前記情報信号記録媒体に一つのヘッドから記録する手段と、前記情報信号記録媒体から前記ヘッドにより再生した情報信号をこの信号の転送レートより速い前記一定の転送レートで前記バッファメモリに転送する手段とを時分割して行う手段と、
前記ヘッドによる前記ｎ個の情報信号への転送レートと、前記バッファメモリに入出力する前記ｎ個の情報信号の転送レートとの差を前記バッファメモリで吸収する手段と、
前記ヘッドにより前記バッファメモリに対して入出力される前記ｎ個の情報信号の転送レート…Ｒｐ、
前記ｎ個の情報信号を前記バッファメモリに入出力する各転送レートの総和…ΣＲｎ、
前記ｎ個の情報信号の各記録再生情報単位量の総和…ΣＹｎ、
前記ヘッドが前記情報信号記録媒体上での現在の位置から次の位置に移動に要する各時間の総和…ΣＳｎ
前記ヘッドが前記情報信号記録媒体上の現在の信号層から次の信号層に移動に要する時間の総和…ΣＦｍとし、（ｎ≧ｍ≧２）
前記ヘッドが前記情報信号記録媒体上の１つの信号層から複数の信号を記録再生する場合には、
ΣＹｎ≧Ｒｐ×ΣＲｎ×ΣＳｎ／（Ｒｐ−ΣＲｎ）
前記ヘッドが前記情報信号記録媒体上の複数の信号層から複数の信号を記録再生する場合には、
ΣＹｎ≧Ｒｐ×ΣＲｎ×（ΣＳｎ＋ΣＦｍ）／（Ｒｐ−ΣＲｎ）
の関係式を満たして前記情報信号記録媒体に前記ｎ個の情報信号を記録再生する手段とを有することを特徴とする情報信号記録再生装置。
【０００６】
【発明の実施の形態】
以下に本発明に係る情報信号再生装置、情報信号記録装置、情報信号記録再生装置の一実施例を図１乃至図１２を参照して＜第１実施例＞，＜第２実施例＞，＜第３実施例＞の順に詳細に説明する。
【０００７】
＜第１実施例＞
本発明に係る第１実施例の情報信号記録及び／又は再生装置では、情報信号記録媒体として、複数の信号層を有するＤＶＤ−ＲＡＭ，ＤＶＤ−ＲＷ，ＤＶＤ＋ＲＷなどの光ディスクや、ハードディスク，フレキシブルディスクなどの磁気ディスクや、半導体を用いた固体メモリー装置等に適用できるものであるが、以下の実施例では情報信号記録媒体として、複数層の光ディスクを適用した場合について説明する。
図１は本発明に係る第１実施例の情報信号記録及び／又は再生装置の全体構成を説明するためのブロック図である。
【０００８】
図１に示した如く、本発明に係る第１実施例の情報信号記録及び／又は再生装置（光ディスクプレーヤ）１０では、スピンドルモータ１１の軸に取り付けたターンテーブル１２上に光ディスク（片側から記録再生が可能な複数層（多層）の情報信号記録媒体）１３が回転自在に設けられている。
【０００９】
図１１に本実施例に用いる２つのタイプとも記録再生が可能な２層と３層のディスクを示す。タイプ１は記録再生を行うピックアップ（ＰＵ）から奥側がレイヤー０（Ｌ０）と、手前側が半透過するレイヤー１（Ｌ１）からなり、オポジットとも呼ばれるように、レイヤー０（Ｌ０）は内周（ｉｎ）から外周（ｏｕｔ）に向かって螺旋溝が存在し、３００００ｈのアドレスから増加するアドレスに従って情報の記録領域が開始されていて、レイヤー１（Ｌ１）は外周（ｏｕｔ）から内周（ｉｎ）に向かって螺旋溝が存在し、レイヤー０（Ｌ０）からのアドレスが引き続いて増加するように構成されていて、そのアドレスに従って記録されているように構成されている。レイヤー１（Ｌ１）のアドレスはレイヤー０（Ｌ０）のアドレスから引き続いて増加する方向に記録されているが、数値は補数として記録されていてもよい。
【００１０】
タイプ２は記録再生を行うピックアップ（ＰＵ）から奥側の信号層がレイヤー０（Ｌ０）と、中間の信号層が半透過するレイヤー１（Ｌ１）と、手前側の信号層が半透過するレイヤー２（Ｌ２）からなり、オポジットとも呼ばれるように、レイヤー０（Ｌ０）は内周（ｉｎ）から外周（ｏｕｔ）に向かって螺旋溝が存在し、３００００ｈのアドレスから増加するアドレスに従って情報の記録領域が開始されていて、レイヤー１（Ｌ１）は外周（ｏｕｔ）から内周（ｉｎ）に向かって螺旋溝が存在し、レイヤー０（Ｌ０）からのアドレスが引き続いて増加するように構成されていて、そのアドレスに従って記録されているように構成されていて、レイヤー２（Ｌ２）は内周（ｉｎ）から外周（ｏｕｔ）に向かって螺旋溝が存在し、レイヤー１（Ｌ１）からのアドレスが引き続いて増加するように構成されていて、そのアドレスに従って記録されているように構成されている。
レイヤー１（Ｌ１）のアドレスはレイヤー０（Ｌ０）のアドレスから引き続いて増加する方向に記録されているが、数値は補数として記録されていてもよい。
【００１１】
また、光ディスク１３と対向して光学式のヘッド（以下、光ピックアップと記す）１４が光ディスク１３の径方向に移動自在に設けられている。上記した光ピックアップ１４は、図示を省略するものの内部に設けた半導体レーザーを光源とし、コリメータレンズ、対物レンズ等により光ディスク１３上にレーザースポットを照射する。この際、半導体レーザーはレーザー駆動回路により駆動されるが、オーディオ信号とかビデオ信号などの情報信号を記録する場合に入力した情報信号は波形補正回路により波形補正された後にレーザー駆動回路へ入力される。
【００１２】
また、複数のキー２３の選択操作により記録及び／又は再生開始の指令をシステムコントローラ２２が判断して信号処理回路１８、サーボ回路１７に指令し、光ピックピック１４から読み出した信号はプリアンプ１６により、再生信号とサーボ信号とを生成し、光ピックアップ１４はサーボ回路１７で前記サーボ信号を処理することにより、光ディスク１３上のトラックに対してフォーカシング，トラッキングの信号を生成し、ドライバー回路１５により光ピックアップ１４内のアクチュエータを駆動することにより光ピックアップ１４の一巡のサーボ制御を行い、光ディスク１３上のコントロールデータに基づいて、光ディスク１３上の目的のトラックのセクターを再生するように光ピックアップ１４をフィードモータにより光ディスク１３の径方向に移動している。
【００１３】
図１１に示したように複数の記録再生層を持つディスクの信号層間を光ピックアップ１４を移動させるために、前記プリアンプ１６により得たフォーカスエラー信号に基づいて、サーボ回路１７でフォーカスエラー信号と信号を処理することにより、光ディスク１３の信号面間を移動するフォーカシング制御信号を生成し、ドライバー回路１５により光ピックアップ１４内のアクチュエータを駆動することにより光ピックアップ１４のフォーカスジャンプ制御（信号面間移動）を行う。
【００１４】
また、光ピックアップ１４から一つの訂正ブロックを最小の単位として読み出した再生信号は、プリアンプ１６で再生信号をイコライザーで周波数特性を最適化し、ＰＬＬをかけ、また、ＰＬＬのビットクロックと、データの時間軸の比較から生成したジッタ生成回路を持っていて、このジッタ値をシステムコントローラ２２がＡ／Ｄ変換して測定しこの値に従って記録時の波形補正回路を変更している。
【００１５】
また、信号処理回路１８にて、ディジタル信号に変換され、例えば同期検出を行い、光ディスク１３上のＥＦＭ＋信号から、ＮＲＺＩデータにデコードされ、訂正ブロック単位でエラー訂正処理を行い、セクターのアドレス信号と後述する第１，第２，……第ｎ（但し、ｎは２以上の整数）の情報信号を得ている。これらｎ個の情報信号は、可変転送レートで圧縮された信号であるので、これを、一時記憶手段となる６４ＭＢ（６４メガバイト）のＤＲＡＭを用いたトラック・バッファメモリ１９に一つの訂正ブロックを最小の単位として一時的に記憶し、第１，第２，……第ｎの情報信号の可変転送レートの時間軸の吸収を行っている。
【００１６】
トラック・バッファメモリ１９から読み出された信号は、オーディオ・ビデオ／エンコーダ・デコーダ（以下、ＡＶ−ＥＮＤＥＣと記す）２０内のデコーダにより、ＭＰＥＧ２に基づいて圧縮したｎ個の情報信号からオーディオ信号とビデオ信号とを伸長して分離し、これらオーディオ信号とビデオ信号とをＮＴＳＣエンコーダ２４を介して音声と映像信号としてディスプレイ２５に出力している。
【００１７】
また、２６ａ〜２６ｎは記録すべき第１，第２，……第ｎの情報信号をそれぞれ入力するための入力端子である。そして、複数の入力端子２６ａ〜２６ｎから入力された第１，第２，……第ｎの情報信号は、ＡＶ−ＥＮＤＥＣ２０内のエンコーダで設定した圧縮レートで圧縮処理されてＡＶ−ＥＮＤＥＣ２０に接続したバッファメモリ２１に一時的記憶され、時分割で各情報信号を信号処理１８に入力している。
【００１８】
一方、記録すべき第１，第２，……第ｎの情報信号として圧縮された情報信号形態（トランスポートストリーム信号形態）で入力することも可能である。この場合には、例えば、衛星放送受信用アンテナ４１で受信した複数の情報信号をディジタル衛星デコーダ部４２内でＱＰＳＫ復調し、エラー訂正処理を行い、トランスポートストリーム信号（１８８バイト単位）を生成し、ＳＷ４３を介してストリーム変換部４４にてプログラムストリーム（２０４８バイト単位）に変換し、必要に応じて光ディスク１３に記録されたキー情報に基づいてスクランブルにより暗号化を行った情報信号を信号処理部１８に入力して、信号処理部１８にてエラー訂正符号を付してトラック・バッファメモリ１９に一時記憶させれば良い。この際、ＳＷ４３は、衛星放送受信用アンテナ４１で受信した複数の情報信号と、インターネット端子４５から入力した複数の情報信号とを選択的に切り換えている。
【００１９】
上記ＡＶ−ＥＮＤＥＣ２０では、光ディスク１３上に書かれたコントロールデータにより、後述する記録及び／又は再生モードに対応して、伸長する速度が決定されこれに従って伸長が行われると共に、バッファメモリ２１が接続されている。
【００２０】
また、プリアンプ１６のＰＬＬで生成した光ディスク１３の速度信号をサーボ回路１７に送り、この速度信号により、光ディスク１３をＣＬＶでの回転制御を行っている。また、スピンドルモータ１１のホール素子などの回転位置信号をサーボ回路１７へ帰還し、この信号から生成した速度信号から、一定回転のＦＧ制御も持っている構成としている。このＬＳＩ間の全体の制御を、システムコントローラ２２が行っている。
【００２１】
また、記録したい画像の解像度や、カーレースなどのスピードの速いシーン等を取り分ける場合や、記録時間優先で設定するために、キー入力や外部よりの制御データをシステムコントローラ２２内のマイコンが認識し、切り替え端子をもっていて、これにより記録時間を変更可能とし、設定を外部のユーザーが選択出来るようになっている。
【００２２】
また、後述するように、ユーザーは光ディスク１３に記録してある映像信号等を再生することや、映像信号を記録する他、現在記録中の映像信号をそのまま記録している状態で、光ディスク１３上の異なる領域の映像信号等を再生することができるように構成されている。また、現在再生中の映像信号をそのまま再生している状態で、光ディスク１３上の異なる領域に映像信号等を記録することができるように構成されている。また、同様に、現在記録中の映像信号をそのまま記録している状態で、光ディスク１３上の異なる領域に映像信号等を記録することができるように構成されている。これにより、ユーザーはピクチャーインピクチャーや２画面同時再生等の同時再生や、追っかけ再生や、アフレコ記録や、裏番組記録等の機能を楽しむことができる。
【００２３】
ここで、本発明に係る情報信号記録及び／又は再生装置１０において、光ディスク１３上の第１，第２，……，第ｎの領域１３ａ，１３ｂ，……，１３ｎと、トラック・バッファメモリ１９内の第１，第２，……，第ｎの領域１９ａ，１９ｂ，……，１９ｎとの間で一つの光ピックアップ１４により映像情報や音声情報などによるｎ個の情報信号を時分割で記録及び／又は再生する場合について図２，図３を用いて説明する。
【００２４】
図２は本発明に係る第１実施例の情報信号記録及び／又は再生装置において、光ディスク上の第１，第２，……，第ｎの領域と、トラック・バッファメモリ内の第１，第２，……，第ｎの領域との間で、第１，第２，……，第ｎの情報信号を一つの光ピックアップにより時分割で記録及び／又は再生する状態を模式的に示した図である。尚、図２中では説明をわかりやすくするためにプリアンプ，信号処理回路の図示を省略している。
【００２５】
また、図３は光ディスク上で第１，第２，……，第ｎの領域（データ領域）のアドレスと、管理領域のアドレスとを示した図である。
【００２６】
図２に示した如く、光ディスク１３上の第１の領域１３ａは記録容量Ｙａを記録再生の最小単位（例えば図３のアドレスＡ１領域）とする第１の情報信号Ａを記録するデータ領域であり、第２の領域１３ｂは記録容量Ｙｂを記録再生の最小単位（例えば図３のアドレスＢ１領域）とする第２の情報信号Ｂを記録するデータ領域であり、以下同様に、第ｎの領域１３ｎは記録容量Ｙｎを記録再生の最小単位（例えば図３のアドレスＮ１領域）とする第ｎの情報信号Ｎを記録するデータ領域であるものとする。この際、第１，第２，……，第ｎの情報信号Ａ，Ｂ，……，Ｎは、互いに関連のある情報である場合と、全く関連のない情報である場合のいずれでも良い。
ここにおける光ディスク１３上の第１の領域１３ａと第２の領域１３ｂは、図１１に示すような光ディスク１３の信号層のＬ０上であってもよいし、光ディスク１３の信号層のＬ１上でも、Ｌ２上であってもよいし、光ディスク１３の第１の領域１３ａは信号層のＬ０上で、第２の領域１３ｂは信号層のＬ１上で、第ｎの領域１３ｎは信号層のＬ２上であってもよく、またこの逆の関係であってもよい。
【００２７】
ここで、図３（Ａ）に示した如く、光ディスク１３上の第１の領域１３ａは、後述するシーク時間が守れる範囲内で複数の領域に分離され且つ各領域ごとにアドレスＡ１，Ａ２，Ａ３，…が付与されて第１の情報信号Ａをそれぞれ分割して記録再生できるようになっている。また、図３（Ｂ）に示した如く、光ディスク１３上の第２の領域１３ｂも後述するシーク時間Ｓが守れる範囲内で複数に分離され且つ各領域ごとにアドレスＢ１，Ｂ２，Ｂ３，…が付与されて第２の情報信号Ｂをそれぞれ分割して記録再生できるようになっている。以下同様に、図３（Ｎ）に示した如く、光ディスク１３上の第ｎの領域１３ｎも後述するシーク時間Ｓが守れる範囲内で複数に分離され且つ各領域ごとにアドレスＮ１，Ｎ２，Ｎ３，…が付与されて第ｎの情報信号Ｎをそれぞれ分割して記録再生できるようになっている。
【００２８】
この際、例えば最初に記録又は再生する第１の領域１３ａ中で１番目のアドレス領域Ａ１と次に記録又は再生する第２の領域１３ｂ中で１番目のアドレス領域Ｂ１との間は、光ピックアップ１４が例えば０．５秒以内に移動できる範囲に設定されており、以下同様に、全体的に現在記録中又は現在再生中のアドレス領域から次に記録又は再生するアドレス領域との間を移動する光ピックアップ１４のシーク時間は同一の信号面間内では最大で０．５秒以内である。
【００２９】
単層の光ディスク１３上では第１の領域１３ａと第２の領域１３ｂと第ｎの領域１３ｎは、光ディスク１３の１つの信号面間内での移動となる。しかし、光ディスク１３の第１の領域１３ａは信号層のＬ０上で、第２の領域１３ｂは信号層のＬ１上等である場合においては、上記のシーク時間Ｓに層間のピックアップの焦点を移動するフォーカスジャンプをする時間Ｆが加わる。
【００３０】
これを、図１２を用いて詳細に説明する。図１２においてタイプ１の移動は、図１１のタイプ２の３層ディスクにおいて、信号層Ｌ０と信号層Ｌ１と信号層Ｌ２の３つの信号層の上で信号を記録又は再生する手順を示している。３層ディスクの信号層Ｌ０と信号層Ｌ１の信号層Ｌ２の再生又は記録において、図４及び図５のタイミングチャートに対応する、信号層Ｌ０の第１の情報信号Ａの１３ａの領域からＡ１を再生又は記録し、信号層Ｌ０から信号層Ｌ２にフォーカス方向にフォーカスジャンプＦ１し、次に第２の情報信号Ｂを１３ｂの領域に対応する位置付近に移動Ｓ１する。次に信号層Ｌ２の第２の情報信号Ｂの１３ｂの領域Ｂ１を再生又は記録し、次に再生又は記録すべき第ｎの情報信号Ｎの１３ｎの領域に移動Ｓ２し、次に再生又は記録すべき信号層Ｌ１の第ｎの情報信号Ｎの１３ｎ領域に対応する位置付近に信号層Ｌ２から信号層Ｌ１にフォーカス方向にフォーカスジャンプＦ２し、次に再生又は記録すべき第ｎの情報信号Ｎの１３ｎの領域Ｎ１を再生又は記録し、次に信号層Ｌ１から信号層Ｌ０にフォーカス方向にフォーカスジャンプＦｎし、次に第１の情報信号Ａの１３ａの領域に対応する位置付近に移動Ｓｎする。
【００３１】
この動作では、３つの信号を再生又は記録する時に３つの信号層に跨るフォーカスジャンプによる移動の場合を示している。
【００３２】
次に、図１２においてタイプ２の移動は、図１１のタイプ２の３層ディスクにおいて、信号層Ｌ０と信号層Ｌ２の２つの信号層の上で信号を記録又は再生する手順を示している。３層ディスクの信号層Ｌ０と信号層Ｌ２の再生又は記録において、図４及び図５のタイミングチャートに対応する、信号層Ｌ０の第１の情報信号Ａの１３ａの領域からＡ１を再生又は記録し、信号層Ｌ０から信号層Ｌ２にフォーカス方向にフォーカスジャンプＦ１し、次に第２の情報信号Ｂを１３ｂの領域に対応する位置付近に移動Ｓ１する。次に信号層Ｌ２の第２の情報信号Ｂの１３ｂの領域Ｂ１を再生又は記録し、次に再生又は記録すべき第ｎの情報信号Ｎの１３ｎの領域に移動Ｓ２し、次に再生又は記録すべき第ｎの情報信号Ｎの１３ｎの領域Ｎ１を再生又は記録し、次に信号層Ｌ２から信号層Ｌ０にフォーカス方向にフォーカスジャンプＦｎし、次に第１の情報信号Ａの１３ａの領域に対応する位置付近に移動Ｓｎする。
【００３３】
この動作では、３つの信号を再生又は記録する時に２つの信号層に跨る移動の場合を示していてる。
【００３４】
このように、１つの信号層内での移動に対して、２つ以上の信号層に跨る移動の場合には、その信号層間を移動する時間が加わることで信号の記録又は再生に用いられる時間の関係が異なることになる。また、例えば、２つの信号層に２つずつの信号があり、計４つの信号を再生する場合に、４回のフォーカス移動を行って再生する場合もあるし、１つの層の中の信号をまとめて再生することにより、２回のフォーカス移動によって、再生が可能であることが分かる。つまり。必要な信号層間を移動する方法によっても、フォーカス方向の移動の回数が変化し、移動時間計が変化することも分かる。
【００３５】
実際に信号層から異なる信号層にフォーカス方向にフォーカスジャンプするに要する時間は安定時間を含めると最大で約０．２秒以内（実際の信号層間のジャンプ時間は数から数十ｍｓｅｃで終了するが、トラッキングの再度の引き込み時間、偏心が信号層間で異なる場合の偏心を補正するために必要な時間、リトライの時間、回転待ちの時間等を総合すると最悪で０．２秒程度の余裕が必要である。）であり、前記した同一の信号面間内でのシーク時間は最大で約０．５秒に比較しても無視できない範囲の時間である。
【００３６】
以降の説明における実施例に中でも同様に、１つの信号層内での記録又は再生の処理の場合と、２つ以上の信号層に跨る記録又は再生の処理の場合とがあるが、以降の説明についても本説明と同様に行われるので詳細な説明を省略する。
【００３７】
図２に戻り、光ディスク１３の内周部位には管理領域１３ｘが設けられており、この管理領域１３ｘはアドレスＸ（信号層の情報を含む）｛例えば図３（Ｘ）のアドレスＸ１，Ｘ２，……領域｝の領域として割り付けられており、第１，第２，……，第ｎの領域１３ａ，１３ｂ，……，１３ｎの各アドレス領域に第１，第２，……，第ｎの情報信号Ａ，Ｂ，……，Ｎが記録されていない場合には、空き領域としての開始アドレス，終了アドレスが管理される一方、記録されている場合には、これら第１，第２，……，第ｎの情報信号Ａ，Ｂ，……，Ｎに付随する開始アドレス，終了アドレス，これらの情報信号の転送レート，タイトル情報、著作権情報等を記録して管理されるようになっている。
【００３８】
また、トラック・バッファメモリ１９内の第１のバッファメモリ（以下、第１の領域と記す）１９ａは第１の情報信号Ａを一時的に記憶する領域であり、トラック・バッファメモリ１９内の第２のバッファメモリ（以下、第２の領域と記す）１９ｂは第２の情報信号Ｂを一時的に記憶する領域であり、以下同様に、トラック・バッファメモリ１９内の第ｎのバッファメモリ（以下、第ｎの領域と記す）１９ｎは第ｎの情報信号Ｎを一時的に記憶する領域であるものとする。
【００３９】
また、一つの光ピックアップ１４は、第１，第２，……，第ｎの情報信号Ａ，Ｂ，……，Ｎを光ディスク１３とトラック・バッファメモリ１９との間で時分割に転送するものであり、且つ、光ピックアップ１４による第１，第２，……，第ｎの情報信号Ａ，Ｂ，……，Ｎへの転送レートＲｐは一定に設定されており、この一定の転送レートＲｐは例えば２５Ｍｂｐｓであるものとする。上記した一つの光ピックアップ１４による第１，第２の情報信号Ａ，Ｂ，……，Ｎへの転送レートＲｐは、後述する第１，第２，……，第ｎの情報信号Ａ，Ｂ，……，Ｎの転送レートＲａ，Ｒｂ，……，Ｒｎよりも速い値に設定されている。
【００４０】
また、トラック・バッファメモリ１９とＡＶ−ＥＮＤＥＣ２０との間で第１，第２，……，第ｎの情報信号Ａ，Ｂ，……，Ｎを転送するものであり、この時に第１の情報信号Ａの転送レートを転送レートＲａとし、第２の情報信号Ｂの転送レートを転送レートＲｂとし、以下同様に、第ｎの情報信号Ｎの転送レートを転送レートＲｎする。そして、本発明では、後述するように第１，第２，……，第ｎの情報信号Ａ，Ｂ，……，Ｎを連続して記録及び／又は再生できることを特徴とするものである。
【００４１】
ここで、第１，第２，……，第ｎの情報信号Ａ，Ｂ，……，Ｎの転送レートＲａ，Ｒｂ，……，Ｒｎは、画質優先での選択が可能であり、下記ａ〜ｃに示す例えば、８Ｍｂｐｓ，４Ｍｂｐｓ，２Ｍｂｐｓのうちのいずれかの転送レートとする。
ａ．高画質用の転送レートで例えば８Ｍｂｐｓの記録時間２時間のモード、
ｂ．やや高画質用の転送レートで例えば４Ｍｂｐｓの記録時間４時間のモード、
ｃ．普通画質用の転送レートで例えば２Ｍｂｐｓの記録時間８時間のモード、
の３種類のモードを用意し、光ディスク１３への記録時にはユーザによるキー入力でモードを指定することで第１，第２，……第ｎの情報信号Ａ，Ｂ，……，Ｎの転送レートＲａ，Ｒｂ，……，Ｒｎが設定される一方、光ディスク１３からの再生時には管理領域１３ｘに第１，第２，……，第ｎの情報信号Ａ，Ｂ，……，Ｎに付随して記録したコントロールデータから記録時の圧縮レートを読み出し、この値に従って、第１，第２，……，第ｎの情報信号Ａ，Ｂ，……，Ｎの転送レートＲａ，Ｒｂ，……，Ｒｎが設定されるものとする。
【００４２】
また、図１に示したシステムコントローラ２２は、６４ＭＢ（６４メガバイト）のトラック・バッファメモリ１９内の第１，第２，……，第ｎの領域１９ａ，１９ｂ，……，１９ｎを第１，第２，……，第ｎの情報信号Ａ，Ｂ，……，Ｎの転送レートＲａ，Ｒｂ，……，Ｒｎの値に応じて分割設定すると共に、各領域１９ａ，１９ｂ，……，１９ｎには記憶容量が空き状態を示すＥＭＰＴＹ値と記憶容量が満杯状態を示すＦＵＬＬ値とを第１，第２，……，第ｎの情報信号Ａ，Ｂ，……，Ｎの転送レートＲａ，Ｒｂ，……，Ｒｎの値に応じて設定するものとする。そして、システムコントローラ２２は、トラック・バッファメモリ１９内の各領域１９ａ，１９ｂ，……，１９ｎのＥＭＰＴＹ値とＦＵＬＬ値との間の記憶残量を常に監視している。
【００４３】
尚、異なる実施形態としては、前記のように第１，第２，……，第ｎの情報信号Ａ，Ｂ，……，Ｎの転送レートＲａ，Ｒｂ，……，Ｒｎの値によってトラック・バッファメモリ１９内の各領域１９ａ，１９ｂ，……，１９ｎを分割するのではなく、記録モードまたは再生のモードによって分割する。例えば、ｎ個の情報信号Ａ，Ｂ，……Ｎは共に同じ転送レートであるとして、再生信号は多少再生時に再生の連続性が損なわれても大きな問題にはならないが、記録信号は連続して記録できない場合には、致命的な欠陥になるので、例えば記録の方をトラック・バッファメモリ１９内で領域を多く占有しておく。この処理は、システムコントローラ２２が記録又は再生の指示を入力した時点で、前記同様に、トラック・バッファメモリ１９中にあるデータを確認し、再生または記録中の途中データが無いことを確認した時点で行う。
【００４４】
上記した本発明に係る情報信号記録及び／又は再生装置１０では、
ａ．再生専用の光ディスク１３から第１，第２，……，第ｎの情報信号Ａ，Ｂ，……，Ｎを一つの光ピックアップ１４により時分割で再生して、各情報信号Ａ，Ｂ，……，Ｎの各転送レートＲａ，Ｒｂ，……，Ｒｎより速い一定の転送レートＲｐでトラック・バッファメモリ１９に一時的に記憶させ、トラック・バッファメモリ１９から第１，第２，……，第ｎの情報信号Ａ，Ｂ，……，Ｎを各転送レートＲａ，Ｒｂ，……，Ｒｎで出力する場合と、
ｂ．第１，第２，……，第ｎの転送レートＲａ，Ｒｂ，……，Ｒｎでそれぞれ入力してトラック・バッファメモリ１９内の第１，第２，……，第ｎの領域１９ａ，１９，……，１９ｎｂに一時的に記憶した第１，第２，……，第ｎの情報信号Ａ，Ｂ，……，Ｎを、光ピックアップ１４により各転送レートＲａ，Ｒｂ，……，Ｒｎより速い一定の転送レートＲｐで光ディスク１３上の第１，第２，……，第ｎの領域１３ａ，１３ｂ，……，１３ｎに時分割で記録を行う場合と、
ｃ．記録再生用の光ディスク１３上から第１，第２，……，第ｎの情報信号Ａ，Ｂ，……，Ｎのうちでいずれかの情報信号を光ピックアップ１４により時分割で再生して各転送レートＲａ，Ｒｂ，……，Ｒｎより速い一定の転送レートＲｐでトラック・バッファメモリ１９に一時的に記憶させ、且つ、第１，第２，……，第ｎの情報信号Ａ，Ｂ，……，Ｎのうちで再生しない情報信号をトラック・バッファメモリ１９から光ピックアップ１４により一定の転送レートＲｐで読み出して光ディスク１３上に時分割で記録する場合とを備えるものである。
【００４５】
この際、一つの光ピックアップ１４により第１，第２，……，第ｎの情報信号Ａ，Ｂ，……，Ｎのうちでいずれか一つの情報信号だけを記録したり再生することも可能になっている。
【００４６】
さて、ここで、一つの光ピックアップ１４によりｎ個の情報信号Ａ，Ｂ，……，Ｎを光ディスク１３に時分割で記録及び／又は再生する時に、光ピックアップ１４を介して光ディスク１３とトラック・バッファメモリ１９との間で時分割時の連続性を維持するための動作条件について説明する。
【００４７】
光ピックアップ１４からトラック・バッファメモリ１９に対して第１，第２，……，第ｎの情報信号Ａ，Ｂ，……，Ｎを読み出す時の読み出し転送レート…Ｒｐ（Ｍｂｐｓ）
第１の情報信号Ａをトラック・バッファメモリ１９の第１の領域１９ａからＡＶ−ＥＮＤＥＣ２０側に読み出す平均の転送レート…Ｒａ（Ｍｂｐｓ）
第２の情報信号Ｂをトラック・バッファメモリ１９の第１の領域１９ｂからＡＶ−ＥＮＤＥＣ２０側に読み出す平均の転送レート…Ｒｂ（Ｍｂｐｓ）
……
……
第ｎの情報信号Ｎをトラック・バッファメモリ１９の第１の領域１９ｎからＡＶ−ＥＮＤＥＣ２０側に読み出す平均の転送レートの転送レート…Ｒｎ（Ｍｂｐｓ）
トラック・バッファメモリ１９の最小の記憶容量…Ｙｍ（Ｍｂｉｔ）
光ディスク１３上の第１の領域１３ａに記録した第１の情報信号Ａを読み出す時の再生情報単位量…Ｙａ（Ｍｂｉｔ）
光ディスク１３上の第２の領域１３ｂに記録した第２の情報信号Ｂを読み出す時の再生情報単位量…Ｙｂ（Ｍｂｉｔ）
……
光ディスク１３上の第ｎの領域１３ｎに記録した第ｎの情報信号Ｎを読み出す時の再生情報単位量…Ｙｎ（Ｍｂｉｔ）
光ピックアップ１４が光ディスク１３上で現在の領域から次の領域に移動に要するシーク時間…Ｓｎ（ｓ）
但し、Ｓ１（＝Ｓａｂ）は光ディスク１３の同一信号面上の第１の領域１３ａから第２の領域１３ｂに、Ｓ２（＝Ｓｂｃ）は第２の領域１３ｂから第３の領域１３ｃに、以下同様に、Ｓｎ（＝Ｓｎａ）は第ｎの領域１３ｎから次の第１の領域１３ａに移動に要するシーク時間とする。
【００４８】
光ピックアップ１４が光ディスク１３の複数の信号面上の信号を必要とする場合に現在の信号層から次の信号層に移動に要する時間…Ｆｍ（ｓ）とし、（ｎ≧ｍ≧２）
但し、Ｆ１（＝Ｆａｂ）は光ディスク１３上の第１の領域１３ａの信号層から第２の領域１３ｂの信号層に、Ｆ２（＝Ｆｂｃ）は第２の領域１３ｂの信号層から第３の領域１３ｃの信号層に、以下同様に、Ｓｎ（＝Ｓｎａ）は第ｎの領域１３ｎの信号層から次の第１の領域１３ａの信号層に移動に要するフォーカス移動時間とし、ｎではなくｍ（ｎ≧ｍ≧２）を用いたのは前記のようにｎ個の信号を再生または記録する場合においても信号が信号層に配置される位置や再生または記録する手順によってフォーカス移動回数がｎより小さくなる場合があるからである。
【００４９】
ここでのシーク時間Ｓｎとは、光ディスク１３の同一信号面上の現在の領域中の記録終了位置又は再生終了位置で現在の情報信号の記録又は再生を中止し、次の領域まで光ピックアップ１４が移動する時間と、次の領域に移動した光ピックアップ１４がこの領域中の目的のトラック上のアドレスを確認して記録又は再生のための準備作業を終了し、次の情報信号の記録又は再生を開始するまでの時間とを合計した時間を示している。
【００５０】
また、ｎ個の情報信号Ａ，Ｂ，……，Ｎを時分割で記録又は記録再生する際に、トラック・バッファメモリ１９の第１，第２，……，第ｎの領域１９ａ，１９ｂ，……，１９ｎに入出力する第１，第２，……，第ｎの情報信号Ａ，Ｂ，……，Ｎの転送レートＲａ，Ｒｂ，……，Ｒｎの和（ΣＲｎ＝Ｒａ＋Ｒｂ……＋Ｒｎ）は、光ディスク１３上の第１，第２，……，第ｎの領域１３ａ，１３ｂ，……，１３ｎとトラック・バッファメモリ１９内の第１，第２，……，第ｎの領域１９ａ，１９ｂ，……，１９ｎとの間で第１，第２，……，第ｎの情報信号Ａ，Ｂ，……，Ｎを時分割で転送する一つの光ピックアップ１４による転送レートＲｐを越えてはならない。
【００５１】
上記した場合を式で表すと、
Ｒｐ＞Ｒａ＋Ｒｂ……＋Ｒｎ                                  …（１式）
となる。
【００５２】
また、光ピックアップ１４が第１の情報信号Ａを記録又は再生する記録時間又再生時間Ｔａ（ｓ）は、Ｔａ＝Ｙａ／Ｒｐ                        …（２式）
であり、光ピックアップ１４が第２の情報信号Ｂを記録又は再生する記録時間又は再生時間Ｔｂ（ｓ）は、Ｔｂ＝Ｙｂ／Ｒｐ                      …（３式）
……
……
【００５３】
以下同様に、光ピックアップ１４が第ｎの情報信号Ｎを記録又は再生する記録時間又再生時間Ｔｎ（ｓ）は、Ｔｎ＝Ｙｎ／Ｒｐ                  …（４式）
である。
【００５４】
また、光ピックアップ１４による第１，第２，……，第ｎの情報信号Ａ，Ｂ，……，Ｎへの転送レートＲｐと、この転送レートＲｐから第１，第２，……，第ｎの情報信号Ａ，Ｂ，……，Ｎの転送レートＲａ，Ｒｂ，……，Ｒｎを引き算した差分値との比率を、
Ｒｐ／（Ｒｐ−Ｒａ−Ｒｂ……−Ｒｎ）                          …（５式）
とおく。
この（５式）は読み出すときの最大の転送レートと余裕分の転送レートの比率である。
【００５５】
この際、上記したＲｐは、第１，第２，……，第ｎの情報信号Ａ，Ｂ，……，Ｎを時分割で記録又は記録再生して次に第１の情報信号Ａを記録又は再生するまでの１サイクル期間の時間（例  図４のＡ１、Ｓ１、Ｆ１、Ｂ１、Ｓ２、Ｆ２、・・・Ｎ１、Ｓｎ、Ｆｍの区間（１周期））に対応し、また、上記した（Ｒｐ−Ｒａ−Ｒｂ……−Ｒｎ）は、この１サイクル期間中のシーク期間に対応している。
一方、第１，第２，……，第ｎの情報信号Ａ，Ｂ，……，Ｎを時分割で記録又は記録再生して次に第１の情報信号Ａを記録又は再生するまでの１サイクル分の時間と、この１サイクル期間中の合計シーク時間との比率を、
（Ｔａ＋Ｓ１＋Ｔｂ＋Ｓ２……＋Ｔｎ＋Ｓｎ）／（Ｓ１＋Ｓ２……＋Ｓｎ）…（６式）
とおく。
【００５６】
この１サイクルにおいて、第１，第２の情報信号Ａ，Ｂ・・・Ｎの再生時間と、それぞれの合計シーク時間以外に、例えばピックアップが待機する時間等の余裕（待機）時間の無い限界の状態を想定する。
この時、媒体の転送レートから再生信号の転送レート引いたあまりの転送レートに相当する時間のみが、媒体の信号面からピックアップを移動することができる時間であるから、この（５式）と（６式）の意味するところの読み出すときの最大の転送レートＲｐと転送レートの余裕分の比率（５式）と、１サイクル分の時間とこの１サイクル期間中でディスクから信号再生していない余裕時間であるそれぞれの合計シーク時間との比率（６式）とを等しいとおくことができる。
【００５７】
全転送レート／余裕分転送レート＝１サイクル時間／余裕時間（シーク時間）Ｒｐ／（Ｒｐ−Ｒａ−Ｒｂ……−Ｒｎ）＝（Ｔａ＋Ｓ１＋Ｆ１＋Ｔｂ＋Ｓ２＋Ｆ２……＋Ｔｎ＋Ｓｎ＋Ｆｍ）／（Ｓ１＋Ｆ１＋Ｓ２＋Ｆ２……＋Ｓｎ＋Ｆｍ）…（７式）
Ｒｐ／（Ｒｐ−Ｒａ−Ｒｂ……−Ｒｎ）＝１＋（Ｔａ＋Ｔｂ……＋Ｔｎ）／（Ｓ１＋Ｆ１＋Ｓ２＋Ｆ２……＋Ｓｎ＋Ｆｍ）                      …（７−１式）
Ｒｐ／（Ｒｐ−Ｒａ−Ｒｂ……−Ｒｎ）−１＝（Ｔａ＋Ｔｂ……＋Ｔｎ）／（Ｓ１＋Ｆ１＋Ｓ２＋Ｆ２……＋Ｓｎ＋Ｆｍ）                      …（７−２式）
（Ｒｐ−Ｒｐ＋Ｒａ＋Ｒｂ……＋Ｒｎ）／（Ｒｐ−Ｒａ−Ｒｂ……−Ｒｎ）＝（Ｔａ＋Ｔｂ……＋Ｔｎ）／（Ｓ１＋Ｆ１＋Ｓ２＋Ｆ２……＋Ｓｎ＋Ｆｍ）…（７−３式）
（Ｒａ＋Ｒｂ……＋Ｒｎ）／（Ｒｐ−Ｒａ−Ｒｂ……−Ｒｎ）＝（Ｔａ＋Ｔｂ……＋Ｔｎ）／（Ｓ１＋Ｆ１＋Ｓ２＋Ｆ２……＋Ｓｎ＋Ｆｍ）    …（７−３式）
となり、
（Ｔａ＋Ｔｂ……＋Ｔｎ）＝（Ｒａ＋Ｒｂ……＋Ｒｎ）×（Ｓ１＋Ｆ１＋Ｓ２＋Ｆ２……＋Ｓｎ＋Ｆｍ）／（Ｒｐ−Ｒａ−Ｒｂ……−Ｒｎ）          …（８式）
となる。この（８式）に（２式），（３式）を代入すると、
（Ｙａ＋Ｙｂ……＋Ｙｎ）＝Ｒｐ×（Ｒａ＋Ｒｂ……＋Ｒｎ）×（Ｓ１＋Ｆ１＋Ｓ２＋Ｆ２……＋Ｓｎ＋Ｆｍ）／（Ｒｐ−Ｒａ−Ｒｂ……−Ｒｎ）    …（９式）
となる。
【００５８】
複数層での記録再生でない場合には、
（Ｙａ＋Ｙｂ……＋Ｙｎ）＝Ｒｐ×（Ｒａ＋Ｒｂ……＋Ｒｎ）×（Ｓ１＋Ｓ２……＋Ｓｎ）／（Ｒｐ−Ｒａ−Ｒｂ……−Ｒｎ）である。
ここで、光ディスク１３とトラック・バッファメモリ１９間の転送レートＲｐは、ディスクの規格や装置の仕様に基づいて一定になっていて、転送レートＲｐを変更することはディスクの回転数を変更することと等価であり、再生信号の転送レート等の種類によって短時間で細かく変更することはできない。
【００５９】
一方、第１，第２，……，第ｎの情報信号Ａ，Ｂ，……，Ｎの転送レートＲａ，Ｒｂ，……，Ｒｎは、記録時にはユーザーの設定により決定され、再生時には光ディスク１３に記録した記録状態によって決定されている。更に、再生を行う光ディスク１３上のアドレス位置関係及び装置のメカ的な仕様等によって、上記した光ピックアップ１４のシーク時間Ｓｎ及びフォーカス移動時間Ｆｍは決定されるから、この関係を余裕を持って安定に満足するためには、唯一の実質的な変数であり、記録又は記録再生を連続的に行うためのバッファーに転送する情報量である第１，第２，……，第ｎの情報信号Ａ，Ｂ，……，Ｎの全情報量ΣＹｎは以下の（１０式，１１式，１３式）を満足することができる。但し、（１０式）と（１１式）は表現を変えているが同一式であり、（１３式）は（１１式）のシーク時間を固定時間としたのみであり、一般的には（１１式）を満足すればよい。
また、各情報量Ｙａ，Ｙｂ，……，Ｙｎは以下の（１４式〜１６式）を満足することができる。
【００６０】
即ち、
（Ｙａ＋Ｙｂ……＋Ｙｎ）≧Ｒｐ×（Ｒａ＋Ｒｂ……＋Ｒｎ）×（Ｓ１＋Ｆ１＋Ｓ２＋Ｆ２……＋Ｓｎ＋Ｆｍ）／（Ｒｐ−Ｒａ−Ｒｂ……−Ｒｎ）  …（１０式）
ここで、ΣＹｎ＝Ｙａ＋Ｙｂ……＋Ｙｎ
ΣＲｎ＝Ｒａ＋Ｒｂ……＋Ｒｎ
ΣＳｎ＝Ｓ１＋Ｓ２……＋Ｓｎ
ΣＦｍ＝Ｆ１＋Ｆ２……＋Ｆｍ（ｎ≧ｍ≧２）
ｎ≧ｍ≧２は、フォーカスジャンプが発生する場合に、そのフォーカスジャンプを行う回数はｎ（２以上の正の整数）個の信号を記録再生する時はｎ回以下のｍ（２以上の正の整数）回であって、フォーカスジャンプを１回でも行う場合に、再度最初に記録再生していた信号面に戻ることから２回以上になることを意味しているとして、上記（１０式）を一般式で表現すると、
ΣＹｎ≧Ｒｐ×ΣＲｎ×（ΣＳｎ＋ΣＦｍ）／（Ｒｐ−ΣＲｎ）…（１１式）
となる。
【００６１】
複数層での記録再生でない場合には、
ΣＹｎ≧Ｒｐ×ΣＲｎ×ΣＳｎ／（Ｒｐ−ΣＲｎ）            …（１１ａ式）
である。
また、上記したシーク時間Ｓｎは、現在の場所から次の場所に移動に要する時間で位置関係によって可変する値であるが、シーク時間を光ディスク１３の最内周と最外周との間を移動するに要する同一の固定時間となる許容シーク時間Ｓとした場合には、
ΣＳｎ＝ｎ×Ｓ                                            …（１２式）
であり、
また、上記したフォーカス移動（ジャンプ）時間Ｆｍは、現在の信号層から次の信号層に移動に要する時間で重力と移動方向によって可変する値であるが、フォーカス移動時間を光ディスク１３の尊号層の間を移動するに要する同一の固定時間となる許容シーク時間Ｆとした場合には、
ΣＦｍ＝ｍ×Ｆ                                          …（１２−１式）
であるので、（１２式）と（１２−１式）を（１１式）に代入すると、
ΣＹｎ≧Ｒｐ×ΣＲｎ×（ｎ×Ｓ＋ｍ×Ｆ）／（Ｒｐ−ΣＲｎ）    …（１３式）
となる。
【００６２】
複数層での記録再生でない場合には、
ΣＹｎ≧Ｒｐ×ΣＲｎ×ｎ×Ｓ／（Ｒｐ−ΣＲｎ）である。
上記した許容シーク時間Ｓは、記録型のＤＶＤ用の光ディスク１３において約０．５秒に設定されている。
また、各記録容量Ｙａ，Ｙｂ，……，Ｙｎは、各転送レートＲａ，Ｒｂ，……，Ｒｎに対して、下記の（１４式）〜（１６式）を満足することができる。
これにつていも２信号の場合と同様に考えることができる。
つまり、（１３式）は前記の転送レートの比Ｒｐ／（Ｒｐ−ΣＲｎ）に、余裕時間に相当するシーク時間ΣＳｎを乗じ、更に再生すべき信号の転送レートΣＲｎを乗じたものが、必要な情報量になることを意味していて、
（ΣＳｎ＋ΣＦｍ）×Ｒｐ／（Ｒｐ−ΣＲｎ）＝Ｋｐ          …（１１−２式）
として、Ｋｐを信号の転送レート等の係数とすれば、
ΣＹｎ≧ΣＲｎ×Ｋｐ                                    …（１１−３式）
となる。
【００６３】
この（１１−３式）において、仮にΣＲｎ＝一定の範囲でＲｎが変化してもＫｐの値は変化しない。また、情報量Ｙａは連続再生するためにはＲａに比例し、情報量Ｙｂは連続再生するためにはＲｂに比例し、情報量Ｙｎは連続再生するためにはＲｎに比例することから、最小の情報量Ｙａ、最小の情報量Ｙｂ・・・最小の情報量Ｙｎは転送レートＲａ、転送レートＲｂ・・・転送レートＲｎの関係として、
Ｙａ：Ｙｂ・・・：Ｙｎ＝Ｒａ：Ｒｂ・・・：Ｒｎ          …（１１−４式）
となる。
この関係を（１１−３式）に代入すると、それぞれ独立して、
Ｙａ≧Ｒａ×Ｋｐ                                        …（１１−５式）
Ｙｂ≧Ｒｂ×Ｋｐ                                        …（１１−６式）
Ｙｎ≧Ｒｎ×Ｋｐ                                        …（１１−７式）
とすることができる。
【００６４】
これを元に戻すと、
Ｙａ≧Ｒｐ×Ｒａ×（Ｓ１＋Ｆ１＋Ｓ２＋Ｆ２……＋Ｓｎ＋Ｆｍ）／（Ｒｐ−Ｒａ−Ｒｂ……−Ｒｎ）                                        …（１４式）
Ｙｂ≧Ｒｐ×Ｒｂ×（Ｓ１＋Ｆ１＋Ｓ２＋Ｆ２……＋Ｓｎ＋Ｆｍ）／（Ｒｐ−Ｒａ−Ｒｂ……−Ｒｎ）                                        …（１５式）
……
……
Ｙｎ≧Ｒｐ×Ｒｎ×（Ｓ１＋Ｆ１＋Ｓ２＋Ｆ２……＋Ｓｎ＋Ｆｍ）／（Ｒｐ−Ｒａ−Ｒｂ……−Ｒｎ）                                        …（１６式）
【００６５】
つまり、光ピックアップ１４による転送レートＲｐと、第１，第２，……，第ｎの情報信号Ａ，Ｂ，……，Ｎの転送レートＲａ，Ｒｂ，……，Ｒｎと、光ディスク１３上の第１，第２，……，第ｎの領域１３ａ，１３ｂ，……，１３ｎ間を移動する光ピックアップ１４のシーク時間Ｓ１，Ｓ２，……，Ｓｎとを決定すると、第１，第２，……，第ｎの情報信号Ａ，Ｂ，……，Ｎの最小の記録単位の記録容量Ｙａ，Ｙｂ，……Ｙｎ、又は、記録時間又は再生時間Ｔａ，Ｔｂ，……，Ｔｎが上記（１０式，１１式，１３式），（１４式〜１６式）を満足しない場合は、各情報信号Ａ，Ｂ，……，Ｎの記録又は記録再生時の連続性が無くなることになる。
但し、（１０式）と（１１式）は表現を変えているが同一式であり、（１３式）は（１１式）のシーク時間を固定時間としたのみであり、一般的には（１１式）と、（１４式〜１６式）を満足すればよい。
【００６６】
次に、ｎ個の情報信号Ａ，Ｂ，……，Ｎの記録及び／又は再生する場合の、トラック・バッファメモリ１９の基本的な記憶容量Ｙｍは、１サイクル分の時間に、それぞれの信号の転送レートを乗じた値になるから、
Ｙｍ＞（Ｔａ＋Ｓ１＋Ｆ１＋Ｔｂ＋Ｓ２＋Ｆ２……＋Ｔｎ＋Ｓｎ＋Ｆｍ）×（Ｒａ＋Ｒｂ＋……＋Ｒｎ）                                  …（１７−１式）
となる。
【００６７】
また、上記したシーク時間Ｓｎを、光ディスク１３の最内周と最外周との間を移動するに要する同一の固定時間となる許容シーク時間Ｓとし、フォーカス移動時間をＦとした場合には、
Ｙｍ＞（Ｔａ＋Ｔｂ＋……＋Ｔｎ＋ｎ×Ｓ＋ｍ×Ｆ）×（Ｒａ＋Ｒｂ＋……＋Ｒｎ）                                                    …（１７−２式）
となる。このＹｍの値は、実動作としてリトライ処理やショックプルーフメモリとしての機能やそれ以外のシステム的な余裕を考慮するとこの値以上の値を確保する必要があるという意味。
上記（１７−１式）と（１７−２式）は、上記（２式），（３式），（４式）と、等式とした場合の（１０式），（１１式），（１３式）から、同様な計算により、
Ｙｍ＞Ｒｐ×ΣＲｎ×（ΣＳｎ＋ΣＦｍ）／（Ｒｐ−ΣＲｎ）    …（１７式）
となり、
Ｙｍ＞Ｒｐ×ΣＲｎ×（ｎ×Ｓ＋ｍ×Ｆ）／（Ｒｐ−ΣＲｎ）    …（１８式）
となる。
複数層での記録再生でない場合には、
Ｙｍ＞Ｒｐ×ΣＲｎ×ΣＳｎ／（Ｒｐ−ΣＲｎ）
となり、
Ｙｍ＞Ｒｐ×ΣＲｎ×ｎ×Ｓ／（Ｒｐ−ΣＲｎ）
となる。
【００６８】
ここで、トラック・バッファメモリ１９は本実施例では図１の信号処理回路１８に接続されている６４ＭＢ（６４メガバイト）のトラック・バッファメモリ１９であるが、当然この図１のＡＶ−ＥＮＤＥＣ２０に接続されている６４ＭＢ（６４メガバイト）のバッファメモリ２１の一部を同様にトラック・バッファメモリとして使用してもかまわない。
【００６９】
次に、一つの光ピックアップ１４によりｎ個の情報信号Ａ，Ｂ，……，Ｎを光ディスク１３に時分割で記録する場合には、光ディスク１３上の第１，第２，……，第ｎの領域内の各空き領域を知る必要がある。
【００７０】
そこで、ここでは、光ディスク１３上の管理領域１３ｃ内に記録されているデータ領域の開始アドレスと終了アドレスの間隔から、空き領域の開始アドレスと終了アドレスを特定し、独立した空き領域の容量を計算し、この空き領域の容量と空き領域の位置情報とを共に記憶し、これを繰り返して全ての空き領域に対して同様に計算して記憶する。
【００７１】
この際、記録すべき情報信号の転送レートを例えば２，４，８Ｍｂｐｓの３種類の場合において、それぞれの独立した空き領域の容量が連続記録または連続記録再生が可能かを計算によって求めている。
【００７２】
また、一つの光ピックアップ１４のシーク時間については、光ディスク１３の回転がＣＬＶ制御なので、アドレス間のアドレス差を計算し、システムコントローラ２２内のプログラムＲＯＭに記憶されているシークテーブルを参照することにより、アドレス差に基づいたトラック移動本数を求める。これに所定の係数演算をすることによって、光ピックアップ１４のシーク時間を計算する。または、光ピックアップ１４のシーク時間につていは、その装置によって所定の一定値として設定しても良いし、規格で決められた許容シーク時間として設定しても良い。
【００７３】
（情報信号再生装置）
情報信号再生装置では、再生専用に形成された光ディスク１３から第１，第２，……，第ｎの情報信号Ａ，Ｂ，……，Ｎを一つの光ピックアップにより時分割で（２つ以上の層の信号面に記録する場合には信号面間に前記のようにフォーカスジャンプにより移動して）再生するものである。
【００７４】
ここでは、光ディスク１３が再生専用に形成されており、光ディスク１３上に記録容量Ｙａを有する第１の情報信号Ａが第１の領域１３ａに予め記録され、且つ、記録容量Ｙｂを有する第２の情報信号Ｂが第２の領域１３ｂに予め記録され、（第１の領域１３ａと第２の領域１３ｂは２つ以上の層の信号面に分かれている場合もある）以下同様に、記録容量Ｙｎを有する第ｎの情報信号Ｎが第ｎの領域１３ｎに予め記録されているものとする。
【００７５】
図４は光ディスクから第１〜第ｎの情報信号を一つの光ピックアップにより時分割で再生する状態を示したタイミングチャートである。尚、図４では、第１〜第ｎの情報信号の転送レートを図示の都合上同一の転送レートで図示しているが、両者が異なる場合でも同じ傾向を示すものである。
【００７６】
まず、光ディスク１３への再生動作が開始されると、光ピックアップ１４が光ディスク１３上の管理領域１３ｃを再生して各アドレス領域を把握し、この後、光ピックアップ１４が第１の領域１３ａ中で１番目のアドレス領域Ａ１から再生を開始して第１の情報信号Ａを転送レートＲｐでトラック・バッファメモリ１９内の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、最初の１回目のサイクルだけ第１の情報信号ＡがＥＭＰＴＹ値に至るまで転送レートＲｐで記憶される。
【００７７】
次に、第１の情報信号ＡがＥＭＰＴＹ値を越えたら第１の情報信号Ａが転送レートＲａでＡＶ−ＥＮＤＥＣ２０側に読み出されるので、図４に示したようにＥＭＰＴＹ値とＦＵＬＬ値との間では第１の情報信号Ａがトラック・バッファメモリ１９の第１の領域１９ａに書き込まれる転送レートＲｐと、第１の情報信号Ａが第１の領域１９ａからＡＶ−ＥＮＤＥＣ２０側に読み出される転送レートＲａの差分（Ｒｐ−Ｒａ）の傾斜で増加しながら第１の情報信号Ａが第１の領域１９ａに一時的に記憶される。
【００７８】
次に、トラック・バッファメモリ１９内の第１の領域１９ａに記憶された第１の情報信号ＡがＦＵＬＬ値に至ったら、光ピックアップ１４は光ディスク１３上の第１の領域１３ａ中で１番目のアドレス領域Ａ１での再生を中止する。ここで、第１の情報信号Ａの再生が中止された段階から、トラック・バッファメモリ１９内の第１の領域１９ａに記憶された第１の情報信号ＡがＡＶ−ＥＮＤＥＣ２０側に転送レートＲａで引き続き読み出されるが、この読み出し動作は図４から明らかなようにＥＭＰＴＹ値に至るまでの期間が第１の領域１３ａ中で２番目のアドレス領域Ａ２を再生開始する前までに終了すれば良い。
【００７９】
次に、光ピックアップ１４が次に再生する光ディスク１３上の第２の領域１３ｂ中で１番目のアドレス領域Ｂ１に移動する（異なる信号層に移動する場合は前記のようにフォーカスジャンプ（移動）を行い信号面間を移動する）。この際、光ピックアップ１４が光ディスク１３上の第１の領域１３ａ中で１番目のアドレス領域Ａ１から第２の領域１３ｂ中で１番目のアドレス領域Ｂ１に移動する同一平面内のシーク時間Ｓ１は最大で０．５秒以内である。異なる信号層に移動する場合はこれに０．２秒を加算すれば移動できる範囲設定されていて、全体的には第１の情報信号Ａと次に記録する第２の情報信号Ｂとの間を移動する光ピックアップ１４のシーク時間は最大で０．５秒以内（２層の信号面間では０．７秒）である。（図４（図５も同様）においてシーク時間としてはＳ１とＳ２、Ｓｎと記載しているが異なる信号層に移動する場合は前記のようにフォーカスジャンプのＦ１、Ｆ２、Ｆｍを含むＳ１＋Ｆ１、Ｆ２＋Ｓ２、Ｓｎ＋Ｆｍの時間関係を示している。）
【００８０】
次に、光ピックアップ１４が光ディスク１３上の第２の領域１３ｂのアドレス領域Ｂ１（目的位置）に至ると、光ピックアップ１４は光ディスク１３上の第２の領域１３ｂ中で１番目のアドレス領域Ｂ１から再生を開始して第２の情報信号Ｂを転送レートＲｐでトラック・バッファメモリ１９内の第２の領域１９ｂに一時的に記憶させる。この際、最初の１回目のサイクルだけ第２の情報信号ＢがＥＭＰＴＹ値に至るまで転送レートＲｐで記憶される。
【００８１】
次に、トラック・バッファメモリ１９内の第２の領域１９ｂに記憶した第２の情報信号ＢがＥＭＰＴＹ値を越えたら第２の情報信号Ｂが転送レートＲｂでＡＶ−ＥＮＤＥＣ２０側に読み出されるので、図４に示したようにＥＭＰＴＹ値とＦＵＬＬ値との間では第２の情報信号Ｂがトラック・バッファメモリ１９の第２の領域１９ｂに書き込まれる転送レートＲｐと、第２の情報信号Ｂが第２の領域１９ｂからＡＶ−ＥＮＤＥＣ２０側に読み出される転送レートＲｂの差分（Ｒｐ−Ｒｂ）の傾斜で増加しながら第２の情報信号Ｂが第２の領域１９ｂに一時的に記憶される。
【００８２】
次に、トラック・バッファメモリ１９内の第２の領域１９ｂに記憶された第２の情報信号ＢがＦＵＬＬ値に至ったら、光ピックアップ１４は光ディスク１３上の第２の領域１３ｂのアドレス領域Ｂ１での再生を中止する。ここで、第２の情報信号Ｂの再生が中止された段階から、トラック・バッファメモリ１９内の第２の領域１９ｂに記憶された第２の情報信号ＢがＡＶ−ＥＮＤＥＣ２０側に転送レートＲｂで引き続き読み出されるが、この読み出し動作は図４から明らかなようにＥＭＰＴＹ値に至るまでの期間が第２の領域１３ｂ中で２番目のアドレス領域Ｂ２を再生開始する前までに終了すれば良い。
【００８３】
次に、光ピックアップ１４が次に再生する光ディスク１３上の領域に移動（異なる信号層に移動する場合は前記のようにフォーカスジャンプ（移動）を行い信号面間を移動する）し、これを以下同様に繰り返して、光ピックアップ１４が光ディスク１３上の第ｎの領域１３ｎのアドレス領域Ｎ１から第ｎの情報信号Ｎの再生を終了すると、光ピックアップ１４は次に再生する光ディスク１３上の第１の領域１３ａ中で２番目のアドレス領域Ａ２に移動する。
【００８４】
上記のように、光ピックアップ１４によって第１，第２，……，第ｎの情報信号Ａ，Ｂ，……，Ｎを光ディスク１３上のアドレス領域Ａ１，Ｂ１，……，Ｎ１，Ａ２，Ｂ２，……，Ｎ２，……から順に連続して再生できる。
【００８５】
そして、情報信号再生装置の再生動作では、先に説明した（１式）乃至（１８式）を満たすものであり、例えば図３の管理領域に記録されている管理情報に基づいて、次に再生すべき複数の情報が複数層に跨る情報の再生である場合には（１１式）を用いて、読み出すべき情報量を決定し、次に再生すべき複数の情報が複数層に跨らない情報の再生である場合には（１１ａ式）を用いて、読み出すべき情報量を決定し連続的な再生を行うことができる。この方法により、複数の情報が複数層に跨らない情報の再生である場合にはバッファーの使用領域が少なくて済み、その他の領域として有効に活用できるという効果を有する。
また、次に再生すべき複数の情報が複数層に跨る情報の再生である場合にも、次に再生すべき複数の情報が複数層に跨らない情報の再生である場合にも、（１１式）を用いて読み出すべき情報量を決定することにより連続的な再生を行うことができる。この方法により、複数の情報が複数層に跨る跨らないに関わらず情報の読み出し量を共通にすることが出来るから、再生の制御を簡単にすることができプログラム容量を削減できるという効果を有する。これ以外の詳細な内容についてはここでの詳述を省略する。
【００８６】
（情報信号記録装置）
情報信号記録装置は、第１，第２，……，第ｎの転送レートＲａ，Ｒｂ，……，Ｒｎでトラック・バッファメモリ１９の第１，第２，……，第ｎの領域１９ａ，１９ｂ，……，１９ｎにそれぞれ入力した第１，第２，……，第ｎの情報信号Ａ，Ｂ，……，Ｎを、光ピックアップ１４により第１，第２，……，第ｎの転送レートＲａ，Ｒｂ，……，Ｒｎより速い一定の転送レートで光ディスク１３上の第１，第２，……，第ｎの領域１３ａ，１３ｂ，……，１３ｎに時分割で記録動作を行うものである。
【００８７】
ここでは、光ディスク１３が記録再生可能に形成されており、この光ディスク１３上には記録容量Ｙａを有する第１の情報信号Ａを記録するための第１の領域１３ａと、記録容量Ｙｂを有する第２の情報信号Ｂを記録するための第２の領域１３ｂと、以下同様に、記録容量Ｙｎを有する第ｎの情報信号Ｎを記録するための第ｎの領域１３ｎとが予め用意されている。また、光ディスク１３上の管理領域１３ｘによって各アドレス領域から各空き領域を把握することが可能になっている。
【００８８】
また、光ディスク１３への記録時に、ＡＶ−ＥＮＤＥＣ２０内のＭＰＥＧエンコーダは、第１，第２，……，第ｎの情報信号Ａ，Ｂ，……，Ｎの転送レートＲａ，Ｒｂ，……，Ｒｎをユーザーが指定する記録モード（高画質用の転送レート８Ｍｂｐｓ，やや高画質用の転送レート４Ｍｂｐｓ，普通画質用の転送レート２Ｍｂｐｓ）により設定可能になっており、記録すべき第１，第２，……，第ｎの情報信号Ａ，Ｂ，……，ＮをＡＶ−ＥＮＤＥＣ２０から信号処理回路２０（図１）に接続した６４ＭＢ（６４メガバイト）のトラック・バッファメモリ１９の第１，第２，……，第ｎの領域１９ａ，１９ｂ，……，１９ｎに一時的に記憶させ、この時は光ピックアップ１４は待機状態として所定の記録すべき光ディスク１３上のトラックでキック待ちの状態としている。そして、トラック・バッファメモリ１９の各領域１９ａ，１９ｂ，……，１９ｎ内の残量の制御を行いながら、トラック・バッファメモリ１９の各領域１９ａ，１９ｂ，……，１９ｎ内の容量がＦＵＬＬ値になったら、光ディスク１３への記録時にエラー訂正コード、アドレスやシンク信号を加えて訂正単位のトラック・バッファメモリ１９に記憶した第１，第２，……，第ｎの情報信号Ａ，Ｂ，……，Ｎを時分割で読み出して、光ピックアップ１４により転送レートＲａ，Ｒｂ，……，Ｒｎより速い一定の転送レートＲｐで読み出した第１，第２，……，第ｎの情報信号Ａ，Ｂ，……，Ｎを光ディスク１３上に時分割でそれぞれ記録している。これを繰り返して、連続的な記録を行っている。
【００８９】
図５は光ディスクに第１，第２，……，第ｎの情報信号を一つの光ピックアップにより時分割で記録する状態を示したタイミングチャートである。尚、図５では、第１〜第ｎの情報信号の転送レートを図示の都合上同一の転送レートで図示しているが、両者が異なる場合でも同じ傾向を示すものである。
【００９０】
まず、光ディスク１３への記録動作が開始されると、光ピックアップ１４が光ディスク１３上の管理領域１３ｃを再生して各アドレス領域から各空き領域を把握する。そして、光ピックアップ１４は第１の情報信号Ａを記録するために光ディスク１３上の第１の領域１３ａ中で１番目のアドレス領域Ａ１に移動する。
【００９１】
一方、ＡＶ−ＥＮＤＥＣ２０側から転送レートＲａで送られた第１の情報信号Ａをトラック・バッファメモリ１９の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、第１の情報信号ＡがＦＵＬＬ値に至るまで転送レートＲａで記憶される。
【００９２】
ここで、トラック・バッファメモリ１９内の第１の領域１９ａに記憶した第１の情報信号ＡがＦＵＬＬ値になったら第１の情報信号Ａが一定の転送レートＲｐで光ピックアップ１４側に読み出されるので、図５に示したようにＦＵＬＬ値とＥＭＰＴＹ値との間では第１の情報信号Ａが差分（Ｒｐ−Ｒａ）の傾斜で減少しながら第１の情報信号Ａが光ピックアップ１４によって一定の転送レートＲｐで光ディスク１３上の第１の領域１３ａに記録される。
【００９３】
次に、トラック・バッファメモリ１９内の第１の領域１９ａに記憶された第１の情報信号ＡがＥＭＰＴＹ値に至ったら、光ピックアップ１４は光ディスク１３上の第１の領域１３ａ中で１番目のアドレス領域Ａ１での記録を中止する。ここで、第１の情報信号Ａの記録が中止された段階から、トラック・バッファメモリ１９内の第１の領域１９ａに第１の情報信号ＡがＡＶ−ＥＮＤＥＣ２０側から転送レートＲａで引き続き送られるが、この書き込み動作は図５から明らかなようにＦＵＬＬ値に至るまでの期間が第１の領域１３ａ中で２番目のアドレス領域Ａ２を記録開始する前までに終了すれば良い。
【００９４】
次に、光ピックアップ１４が次に第２の情報信号Ｂを記録するために光ディスク１３上の第２の領域１３ｂ中で１番目のアドレス領域Ｂ１に移動する（異なる信号層に移動する場合は前記のようにフォーカスジャンプ（移動）を行い信号面間を移動する）。この際、光ピックアップ１４が光ディスク１３の同一平面上の第１の領域１３ａ中で１番目のアドレス領域Ａ１から第２の領域１３ｂ中で１番目のアドレス領域Ｂ１に移動するシーク時間Ｓ１は最大で０．５秒（２層の信号面間では０．７秒）以内である。
【００９５】
一方、ＡＶ−ＥＮＤＥＣ２０側から転送レートＲｂで送られた第２の情報信号Ｂがトラック・バッファメモリ１９の第２の領域１９ｂにＦＵＬＬ値に至るまで転送レートＲｂで一時的に記憶される。そして、トラック・バッファメモリ１９内の第２の領域１９ｂに記憶した第２の情報信号ＢがＦＵＬＬ値にになったら第２の情報信号Ｂが一定の転送レートＲｐで光ピックアップ１４側に読み出されるので、図５に示したようにＦＵＬＬ値とＥＭＰＴＹ値との間では第２の情報信号Ｂが差分（Ｒｐ−Ｒｂ）の傾斜で減少しながら第２の情報信号Ｂが光ピックアップ１４によって一定の転送レートＲｐで光ディスク１３上の第２の領域１３ｂに記録される。
【００９６】
この後、トラック・バッファメモリ１９内の第２の領域１９ｂに記憶された第２の情報信号ＢがＥＭＰＴＹ値に至ったら、光ピックアップ１４は光ディスク１３上の第２の領域１３ｂのアドレス領域Ｂ１での記録を中止する。ここで、第２の情報信号Ｂの記録が中止された段階から、トラック・バッファメモリ１９内の第２の領域１９ｂに第２の情報信号ＢがＡＶ−ＥＮＤＥＣ２０側から引き続き送られるが、この書き込み動作は図５から明らかなようにＦＵＬＬ値に至るまでの期間が第２の領域１３ｂ中で２番目のアドレス領域Ｂ２を記録開始する前までに終了すれば良い。
【００９７】
次に、光ピックアップ１４が次に記録する光ディスク１３上の領域に移動（異なる信号層に移動する場合は前記のようにフォーカスジャンプ（移動）を行い信号面間を移動する）し、これを以下同様に繰り返して、光ピックアップ１４が光ディスク１３上の第ｎの領域１３ｎのアドレス領域Ｎ１に第ｎの情報信号Ｎの記録を終了すると、光ピックアップ１４は次に記録する光ディスク１３上の第１の領域１３ａ中で２番目のアドレス領域Ａ２に移動する。
【００９８】
上記のように、光ピックアップ１４によって第１，第２，……，第ｎの情報信号Ａ，Ｂ，……，Ｎを光ディスク１３上のアドレス領域Ａ１，Ｂ１，……，Ｎ１，Ａ２，Ｂ２，……，Ｎ２，……に順に連続して記録できる。
【００９９】
そして、情報信号記録装置の記録動作でも、先に説明した（１式）乃至（１８式）を満たすものであり、例えば図３の管理領域の記録されるべき空き領域の管理情報に基づいて、次に記録すべき複数の情報が複数層に跨る情報の記録である場合には（１１式）を用いて、記録すべき情報量を決定し、次に記録すべき複数の情報が複数層に跨らない情報の記録である場合には（１１ａ式）を用いて、記録すべき情報量を決定し連続的な記録を行うことができる。この方法により、複数の情報が複数層に跨らない情報の記録である場合にはバッファーの使用領域が少なくて済み、その他の領域として有効に活用できるという効果を有する。
また、次に記録すべき複数の情報が複数層に跨る情報の記録である場合にも、次に記録すべき複数の情報が複数層に跨らない情報の記録である場合にも、（１１式）を用いて記録すべき情報量を決定することにより連続的な記録を行うことができる。この方法により、複数の情報が複数層に跨る跨らないに関わらず情報の記録量を共通にすることが出来るから、記録の制御を簡単にすることができプログラム容量を削減できるという効果を有する。記録後は記録した情報に基づき管理領域の記録された領域の管理情報を更新する。この管理領域は複数の信号面有する媒体の中の１つの信号層に複数の信号層の信号情報をまとめて管理できるように配置されている。このように構成することにより、管理領域の管理情報の管理が容易になるからである。これ以外の詳細な内容についてはここでの詳述を省略する。
【０１００】
（情報信号記録再生装置）
情報信号記録再生装置は、先に説明した情報信号記録装置と情報信号再生装置とを組み合わせたものであり、第１，第２，……，第ｎの転送レートＲａ，Ｒｂ，……，Ｒｎを有する第１，第２，……，第ｎの情報信号Ａ，Ｂ，……，Ｎのうちでいずれかを光ディスク１３から光ピックアップ１４により時分割で再生して第１，第２，……，第ｎの転送レートＲａ，Ｒｂ，……，Ｒｎより速い一定の転送レートＲｐでトラック・バッファメモリ１９に記憶させる動作と、第１，第２，……，第ｎの情報信号Ａ，Ｂ，……，Ｎのうちで再生しない情報信号をトラック・バッファメモリ１９から光ピックアップ１４により一定の転送レートＲｐで読み出して光ディスク１３上に記録する動作とを時分割で行うものである。
【０１０１】
この情報信号記録再生装置の記録再生動作については、図示を省略するものの、記録すべき情報信号と再生されるべき情報信号とを、先に説明した情報信号記録装置の記録動作と情報信号再生装置の再生動作から適宜組み合わせて行えば良く、ここでも同一平面上での光ピックアップ１４のシーク時間Ｓｎは最大で０．５秒（２層の信号面間では０．７秒）以内である。
【０１０２】
そして、情報信号記録再生装置の記録再生動作でも、先に説明した（１式）乃至（１８式）を満たすものであり、例えば図３の管理領域に記録されている再生すべき情報と記録される情報の空き領域の管理情報に基づいて、次に記録再生すべき複数の情報が複数層に跨る情報の記録再生である場合には（１１式）を用いて、記録すべき情報量を決定し、次に記録再生すべき複数の情報が複数層に跨らない情報の記録再生である場合には（１１ａ式）を用いて、記録再生すべき情報量を決定し連続的な記録再生を行うことができる。この方法により、複数の情報が複数層に跨らない情報の記録再生である場合にはバッファーの使用領域が少なくて済み、その他の領域として有効に活用できるという効果を有する。
また、次に記録再生すべき複数の情報が複数層に跨る情報の記録再生である場合にも、次に記録再生すべき複数の情報が複数層に跨らない情報の記録再生である場合にも、（１１式）を用いて記録再生すべき情報量を決定することにより連続的な記録再生を行うことができる。この方法により、複数の情報が複数層に跨る跨らないに関わらず情報の記録再生量を共通にすることが出来るから、記録再生の制御を簡単にすることができプログラム容量を削減できるという効果を有する。記録後は記録した情報に基づき管理領域の記録された領域の管理情報を更新する。この管理領域は複数の信号面有する媒体の中の１つの信号層に複数の信号層の信号情報をまとめて管理できるように配置されている。このように構成することにより、管理領域の管理情報の管理が容易になるからである。これ以外の詳細な内容についてはここでの詳述を省略する。
【０１０３】
＜第２実施例＞
図６は本発明に係る第２実施例の情報信号通信装置の全体構成を説明するためのブロック図である。
尚、説明の便宜上、先に示した構成部材と同一構成部材に対しては同一の符号を付して適宜説明し、且つ、新たな構成部材に新たな符号を付す共に、この第２実施例では第１実施例と異なる点を中心に説明する。
【０１０４】
先に説明した第１実施例の情報信号記録及び／又は再生装置１０が映像信号や音声信号を圧縮して伸張を行う行う光ディスクプレーヤであるのに対して、図６に示した本発明に係る第２実施例の情報信号通信装置３０では圧縮伸張のブロックを持たない光ディスクドライブの構成である点と、この光ディスクドライブに設けたトラック・バッファメモリ１９の出力側に外部との通信接続を行うＡＴＡＰＩインターフェース３１設けている点と、外部にはホストコンピュータとして、ホスト３２と、ＡＶ−ＥＮＤＥＣ（オーディオ・ビデオ／エンコーダ・デコーダ）２０の圧縮伸張のブロックとが接続されている点と、衛星放送受信用アンテナ４１で受信してディジタル衛星デコーダ部４２内でデコードした複数の情報信号又はインターネット端子４５からの複数の情報信号とをＳＷ４３，ストリーム変換部４４を経て圧縮した状態で選択的にＡＴＡＰＩインターフェース３１に入力可能に接続されている点とが異なるが、それ以外の部分は第１実施例と同様である。尚、上記した光ディスクドライブは、第１実施例の情報信号記録及び／又は再生装置１０においてＡＶ−ＥＮＤＥＣ２０，バッファメモリ２１，キー２３を除いたものである。本実施例において詳細な説明をしている動作を具現化するためのプログラムを記載したプログラムＲＯＭは、本装置内のプログラムＲＯＭにマスクＲＯＭ等として記録されているのみではなく、ＣＤ−ＲＯＭディスクやＤＶＤ−ＲＯＭディスクとして記録されていて、外部装置から前記の記録再生装置のＲＡＭに読み込まれることによって実行されるようになされたものや、前記の動作を具現化するためのプログラムをインターネットや衛星通信を介してダウンロードされて、前記の記録再生装置のＲＡＭに読み込まれることによって実行されるようになされたプログラム自身も本実施例に含まれる。
【０１０５】
より具体的には、ＡＴＡＰＩインターフェース３１内にＩ／Ｆブロックがあり、また、ＡＶ−ＥＮＤＥＣ２０のＩ／Ｆ部分にＩ／Ｆブロックがあり、ＡＴＡＰＩインターフェース３１で接続し、コンピュータ周辺ディスク記憶装置のコマンドを規定している業界団体のマウントフジＭｔ．Ｆｕｊｉのコマンド体系を基本に光ディスクドライブの制御を行っている。
【０１０６】
つまり、先に説明した第１実施例においては、光ディスクプレーヤ１０の記録時に入力した第１，第２，……，第ｎの情報信号Ａ，Ｂ，……，Ｎを分析してそれぞれの転送レートＲａ，Ｒｂ，……，Ｒｎを決定し、また、光ディスクプレーヤ１０の再生時に光ディスク１３の記録状態から第１，第２，……，第ｎの情報信号Ａ，Ｂ，……，Ｎの転送レートＲａ，Ｒｂ，……，Ｒｎを計算により決定していたが、本発明の第２実施例においては、光ディスクドライブにキー入力部や光ディスク１３からのコントロールデータのデコード部を持たないために、記録時には記録する第１，第２，……，第ｎの情報信号Ａ，Ｂ，……，Ｎの転送レートＲａ，Ｒｂ，……，Ｒｎがホスト側からＡＴＡＰＩインターフェース３１内のＩ／Ｆブロックを介して入力される。
【０１０７】
この際、記録処理の場合、例えば転送レート２Ｍｂｐｓのビデオ信号が入力されると、ホスト３２はＡＶ−ＥＮＤＥＣ２０のＩ／Ｆ部にその内容を転送し、下記のように記録コマンドと記録開始アドレス等の情報に加えて、前記の信号の転送レートフラグを光ディスクドライブに転送する。これを、光ディスクドライブの信号処理部分でデコードして、その種類に応じて前記のように記録処理を行う。
次に、再生処理の場合、前記のようにマウントフジのコマンド体系に基づいて、再生のコマンドに従って、光ディスク１３の所定のアドレスに記録されている例えばビデオ信号を再生する。このデータをホスト３２が解釈し、前記のように転送レートを計算する。そして、例えば転送レート２Ｍｂｐｓのビデオ信号であることを、ホスト３２はＡＶ−ＥＮＤＥＣ２０内のＩ／Ｆ部にその内容を転送し、下記のように再生コマンドに加えて、前記の信号の転送レートフラグを転送する。これを、信号処理部分でデコードして、その転送レートに応じて前記のように再生処理を行う。
【０１０８】
なお、通信を行う実施例として外部との通信接続を行うＡＴＡＰＩインターフェース３１を用いて説明したが、ＩＥＥＥ１３９４等の規格でも良く、また、このようなケーブルも用いた通信以外の電波や光を利用した通信でもよい。また、記録再生されるべき信号は、映像データを主に説明したが、音声や音楽データでも、静止画、サブピクチャーでも良くまたこれらを復号した復号信号でも良いことは言うまでもない。つまり、ここで言う転送レートとは、平均的にデータをある程度の範囲の転送レートで転送しないと情報として成立しない範囲のデータの転送レートを示している。
【０１０９】
更に、上述した第１実施例の情報信号記録及び／又は再生装置１０及び第２実施例の情報信号通信装置３０において、ｎ個の情報信号Ａ，Ｂ，……，Ｎを記録及び／又は再生する際に、各情報信号Ａ，Ｂ，……，Ｎに対して重要度に応じて優先順位をつけておき、記録及び／又は再生中に転送レートが変更になったり、シーク時にシークエラーなどが発生し、前記した式の範囲外になり各情報信号Ａ，Ｂ，……，Ｎが連続しなくなる場合に、優先順位の低い情報信号を切り捨ても良い。また、光ディスク１３への記録動作と再生動作とを組み合わせた場合に、各情報信号Ａ，Ｂ，……，Ｎの記録動作を再生動作よりも優先することで、記録動作が失敗せずに確実に記録でき、記録後の再生が有効となる。
【０１１０】
また更に、第１実施例の情報信号記録及び／又は再生装置１０の一部を変形するか、又は、第２実施例の情報信号通信装置３０の一部を変形して、光ディスクドライブＤ側として光ディスク回転手段１１，１２，光ピックアップ１４，ドライバー回路１５，プリアンプ１６，サーボ回路１７をユニット化して設け、一方、固体メモリＭ側として信号処理回路１８，トラック・バッファメモリ１９，システムコントローラ２２をユニット化して設け、固体メモリＭ側が光ディスクドライブＤ側及びＡＴＡＰＩインターフェース３１側に対して図示しないコネクタ接続により着脱可能にしても良い。この際、トラック・バッファメモリ１９の容量は６４ＭＢ（６４メガバイト）であるので、オーディオ信号では１時間程度再生でき、ビデオ信号では１０分程度再生できる。
【０１１１】
＜第３実施例＞
図７は本発明に係る情報信号記録装置又は情報信号通信装置において、（１１式）の関係式を満たさない場合の第１記録態様を説明するための図、
図８は本発明に係る情報信号記録装置又は情報信号通信装置において、（１１式）の関係式を満たさない場合の第１記録態様の変形例を説明するための図、
図９は本発明に係る情報信号記録装置又は情報信号通信装置において、（１１式）の関係式を満たさない場合の第２記録態様を説明するための図、
図１０は本発明に係る情報信号記録装置又は情報信号通信装置において、（１１式）の関係式を満たさない場合の第３記録態様を説明するための図である。
【０１１２】
先に説明したように、本発明に係る情報信号記録装置又は情報信号通信装置では、入力した第１，第２，……，第ｎの情報信号Ａ，Ｂ，……，Ｎをトラック・バッファメモリ１９内の各領域１９ａ，１９ｂ，……，１９ｎに一時的に記憶させ、トラック・バッファメモリ１９から情報信号Ａ，Ｂ，……，Ｎを時分割して読み出して、これらの情報信号Ａ，Ｂ，……，Ｎを光ピックアップ１４により光ディスク１３上の各領域１３ａ，１３ｂ，……，１３ｎに時分割してそれぞれ記録する場合には、先に説明した（１１式）の関係式を満たしていることが必要であり、この判断はシステムコントローラ２２にて行っているが、（１１式）の関係式を満たせない場合も当然生じる。
【０１１３】
そこで、第３実施例では、先に第１実施例で説明した情報信号記録装置又は第２実施例で説明した情報信号通信装置において、光ディスク１３の構造及びトラック・バッファメモリ１９の構造を同じくするもものの、入力したｎ個の情報信号（情報信号Ａ，Ｂ，……，Ｎ）を光ディスク１３に記録する際、光ピックアップ１４によりｎ個の情報信号を光ディスク１３上でそれぞれ異なる領域に時分割して記録するにはシーク時間が間に合わないと判断した場合、即ち、先に説明した（１１式）の関係式を満たさない場合について以下に記載する第１〜第３記録態様のいずれかの記録態様を選択することを特徴とするものである。
【０１１４】
まず、第１記録態様では、入力したｎ個の情報信号（情報信号Ａ，Ｂ，……，Ｎ）が（１１式）の関係式を満たさない場合に、ｎ個の情報信号のうちから記録すべき情報信号の数を減らしてｎ’（但し、２≦ｎ’＜ｎ）個の情報信号を選んで、このｎ’個の情報信号に対して再度（１１式）の関係式を満たすか否かを判断し、（１１式）の関係式を満たした場合にはｎ個の情報信号のうちから選んだｎ’個の情報信号をトラック・バッファメモリ１９内の各領域１９ａ，１９ｂ，……，１９ｎ’に一時的に記憶させてからｎ’個の情報信号を光ピックアップ１４により光ディスク１３上の異なる各領域１３ａ，１３ｂ，……，１３ｎ’に時分割して記録するものである。
この際、ｎ’個の情報信号の転送レートの差、チャンネルの位置（例えばＮＨＫと民放）、情報信号のジャンル（映画、アニメ、教育）等によって、自動的に或いはユーザーの設定によって重み付けして記録することができる。更に、選択しなかった（ｎ−ｎ’）個の情報信号はトラック・バッファメモリ１９内に一時記憶せずに破棄すれば良い。
【０１１５】
より具体的に第１記録態様を説明すると、図７に示した如く、入力したＡ，Ｂ，Ｃ，Ｄの４種類の情報信号が（１１式）の関係式を満たさない場合には、入力したＡ〜Ｄの４種類の情報信号のうちからＡとＢの２種類の情報信号を選んで、このＡ，Ｂの情報信号に対して再度（１１式）を満足するか否かを判断し、Ａ，Ｂの情報信号の転送レートと光ディスク１３への光ピックアップ１４による転送レートとシーク時間との関係が（１１式）を満足する場合には、ＡとＢ（Ａ１，Ｂ１，Ａ２，Ｂ２，……）の情報信号をトラック・バッファメモリ１９に一時記憶させた後、トラック・バッファメモリ１９からＡとＢの情報信号を時分割して交互に読み出して、光ピックアップ１４によりＡ領域にＡ１のデータを記録し、記録後に領域間をシークし、Ｂ領域にＢ１のデータを記録し、再度Ａ２領域にシークしてＡ２のデータを記録し、これを繰り返すことにより、結果的にＡ，Ｂ領域に個別のデータを連続的に記録する。
【０１１６】
この第１記録態様によれば、入力したｎ個の情報信号のうちから記録すべき情報信号の数を減らしてｎ’（但し、２≦ｎ’＜ｎ）個の情報信号を選んで、ｎ’個の情報信号を光ディスク１３のそれぞれの領域に個別に記録しているので、再生時に安定した動作が確保でき、早送りやスキップ等の特殊再生に有利であるが、記録途中で記録を中止した場合に、それぞれの記録領域の残りの空き領域が、分断されてしまい、その後の記録の管理が複雑となる。また、情報信号記録装置としては大きなトラック・バッファメモリ１９の容量が必要であり、前記した（１１式）のように入力した複数の情報信号の転送レートによっては、このような記録を行えない場合がある。
【０１１７】
次に、第１記録態様の変形例では、入力したｎ個の情報信号（情報信号Ａ，Ｂ，……，Ｎ）が（１１式）の関係式を満たさない場合に、ｎ個の情報信号をトラック・バッファメモリ１９に一時記憶させた後、ｎ個の情報信号のうちの一部の情報信号をつなぎ合わせてブロック化を図ることで、ｎ個のうちでそれぞれ個別に記録する情報信号と、ブロック化した上で記録する情報信号とをトラック・バッファメモリ１９から時分割して読み出して、光ピックアップ１４により光ディスク１３のそれぞれの領域に時分割して記録するものであり、言い換えると、ｎ個の情報信を光ディスク１３上の少なくとも２以上の領域に時分割して記録するものである。
【０１１８】
より具体的に第１記録態様の変形例を説明すると、図８に示した如く、入力したＡ，Ｂ，Ｃ，Ｄの４種類の情報信号が（１１式）の関係式を満たさない場合には、入力したＡ〜Ｄの４種類の情報信号のうちからＡと、ブロック化したい（Ｂ＋Ｃ）の２種類の情報信号を選んで、このＡと（Ｂ＋Ｃ）の情報信号に対して再度（１１式）を満足するか否かを判断し、（１１式）を満足する場合には、Ａと（Ｂ＋Ｃ）の情報信号をトラック・バッファメモリ１９に一時記憶させた後、トラック・バッファメモリ１９からＡと（Ｂ＋Ｃ）の情報信号を時分割して交互に読み出して、光ピックアップ１４によりＡ領域にＡ１のデータを記録し、記録後に領域間をシークし、Ｂ領域に（Ｂ１＋Ｃ１）のデータを記録し、再度Ａ２領域にシークしてＡ２のデータを記録し、記録後に領域間をシークし、Ｂ領域に（Ｂ２＋Ｃ２）のデータを記録し、これを繰り返すことにより、結果的にＡに個別のデータを、Ｂ領域にブロック化したデータを連続的に記録する。
【０１１９】
この第１記録態様の変形例によれば、入力したｎ個の情報信号のうちから個別に記録したい情報信号と、ブロック化しても良い情報信号とを選んでいるので、光ピックアップ１４によるシーク時間を短縮でき、且つ、情報信号の必要度に応じて個別記録とブロック記録との併用処理が可能となる。
【０１２０】
次に、第２記録態様では、入力したｎ個の情報信号（情報信号Ａ，Ｂ，……，Ｎ）が（１１式）の関係式を満たさない場合に、ｎ個の情報信号をトラック・バッファメモリ１９に一時記憶させた後、トラック・バッファメモリ１９からｎ個の情報信号を転送順に時分割して読み出して、光ピックアップ１４によりｎ個の情報信号全てを光ディスク１３上の同一の領域（一つの領域）に記録するものである。
【０１２１】
より具体的に第２記録態様を説明すると、図９に示した如く、入力したＡ，Ｂ，Ｃ，Ｄの４種類の情報信号が（１１式）の関係式を満たさない場合には、Ａ〜Ｄの４種類の情報信号をトラック・バッファメモリ１９に一時記憶させた後、トラック・バッファメモリ１９からＡ〜Ｄの情報信号を時分割して読み出して、Ａ１，Ｂ１，Ｃ１，Ｄ１，Ａ２，Ｂ２，Ｃ２，Ｄ２，……の順に転送されてくるデータを並び替えを行わずに光ピックアップ１４により光ディスク１３上のＡ領域にそのまま記録する。
【０１２２】
この第２記録態様によれば、ｎ個の情報信号をトラック・バッファメモリ１９から時分割して読み出した順に、光ピックアップ１４により光ディスク１３の同一の領域（一つの領域）に記録しているので、再生時に記録単位ごとにキックする必要があり、再生での安定性を欠く可能性がある。しかし、第１記録態様のように、その後の記録の管理は複雑にならない。また、情報信号記録装置としても大きなトラック・バッファメモリ１９の容量を必要とせずに、その記録の転送レートを越えない範囲で、記録が可能である。
【０１２３】
次に、第３記録態様では、入力したｎ個の情報信号（情報信号Ａ，Ｂ，……，Ｎ）が（１１式）の関係式を満たさない場合に、ｎ個の情報信号を複数サイクルの間に亘ってトラック・バッファメモリ１９に一時記憶させた後、トラック・バッファメモリ１９内で各情報信号の複数サイクルがそれぞれ一かたまりつづになるように並び替えを行い、並び替えたｎ個の情報信号をトラック・バッファメモリ１９から時分割して読み出して、ｎ個の情報信号を並び替えたかたまりごとにまとめて光ピックアップ１４により光ディスク１３上の同一の領域（一つの領域）に記録するものである。
【０１２４】
より具体的に第３記録態様を説明すると、図１０に示した如く、入力したＡ，Ｂ，Ｃ，Ｄの４種類の情報信号が（１１式）の関係式を満たさない場合には、Ａ〜Ｄの４種類の情報信号を複数サイクルの間に亘ってトラック・バッファメモリ１９に一時記憶記憶させた後、トラック・バッファメモリ１９内でＡ１，Ｂ１，Ｃ１，Ｄ１，Ａ２，Ｂ２，Ｃ２，Ｄ２，……の順に転送されてくるデータをＡ１，Ａ２，Ｂ１，Ｂ２，Ｃ１，Ｃ２，Ｄ１，Ｄ２，……の順に１つのデータ単位を大きな単位のかたまりに並び替えて、並び替えた各情報信号のかたまりごとに時分割して読み出して、（Ａ１，Ａ２），（Ｂ１，Ｂ２），（Ｃ１，Ｃ２），（Ｄ１，Ｄ２），……の順に光ピックアップ１４により光ディスク１３上のＡ領域に記録する。
【０１２５】
この第３記録態様によれば、光ディスク１３上で同一の領域（一つの領域）に記録してあるデータの記録単位が大きいので、再生時にある程度安定した動作が確保でき、連続した記録単位の範囲では、早送りやスキップ等の特殊再生に多少有利であり、かつ第１記録形態のように、その後の記録の管理は複雑にならない。また、情報信号記録装置としては多少大きなトラック・バッファメモリ１９の容量が必要であり、そのトラック・バッファメモリ１９を越える記録単位では、このような記録を行えない。
【０１２６】
ここで、上記した第１〜第３記録形態では、大きく分けて２つの記録モードを取るものであり、第１の記録モードは、ｎ個の情報信号を光ディスク１３上で少なくとも２つ以上の領域にシークを介在させながらそれぞれ記録するもので上記した第１記録形態（図７）及び第１記録形態の変形例（図８）が該当する。
一方、第２の記録モードは、ｎ個の情報信号を光ディスク１３上で同一の領域（一つの領域）にシークを介在させないで記録するもので上記した第２記録形態（図９）及び第３記録形態の変形例（図１０）が該当する。
【０１２７】
そして、上記した第１〜第３記録形態による３種類の記録方法は、それぞれ長所短所を持っており、前記した（１１式）の結果によって記録形態を選択したり、ユーザが任意に記録形態を選択したり、それぞれ条件によって使い分けられることによってユーザーにとって有用であり、上記第１〜第３記録形態のうちいずれかの記録形態を選択する判断基準は、下記ａ〜ｆ項のいずれかによる。
【０１２８】
ａ．ｎ個の情報信号を前記した（１１式）にて光ディスク１３上でそれぞれ異なる領域に記録可能の可否を判断する場合に、（１１式）にて記録不可能と判断した際には、記録すべき情報信号の数を減らして再度（１１式）を満足するか否かを判断し、（１１式）を満足した場合は第１記録形態を選択し、不可能と判断した場合は第２又は第３の記録形態を選択する。
【０１２９】
ｂ．ユーザーが第１〜第３記録形態を選択する。つまり、ユーザーが任意に選択する場合は、上記した例えば第１記録形態を選択した場合、前記した（１１式）に設定した複数の情報信号が記録可能か判断し、記録可能である場合には、第１〜第３記録形態を選択可能と表示し、選択した入力結果に応じて記録を行う。一方、記録不可能である場合には、第２又は第３の記録形態を選択可能と表示し、選択した入力結果に応じて記録を行う。
【０１３０】
ｃ．情報信号又はソースの種類によって自動選択する場合、例えば、ｎ個の情報信号がＡＶ−ＥＮＤＥＣ２０から入力される場合は、圧縮時の転送レートがユーザーによって設定可能であるので第１記録形態で記録を行う。また、ディジタル衛星やインターネットから圧縮された情報信号としてのトランスポートストリーム信号として入力された場合には、第２又は第３記録形態で記録を行う。また、記録する複数の情報信号の転送レートの差、チャンネルの位置（例えばＮＨＫと民放）、情報信号のジャンル（映画、アニメ、教育）等によって、ユーザーの設定によって記録することができる。
【０１３１】
ｄ．情報信号記録装置又は情報信号通信装置の仕様によって、例えば装置をＡＣ電源に接続して据え置き状態で使用する場合には、前記した（１１式）の許容する範囲で第１記録形態で記録を行う。そして、この装置をＡＣ電源から切り離してバッテリー駆動で使用する場合には、第２又は第３記録形態を選択する。
また、トラック・バッファメモリ１９の容量を着脱自在として、トラック・バッファメモリ１９の容量を変更可能とする装置の場合に、トラック・バッファメモリ１９の容量が大きければ第１記録形態を選択し、一方、トラック・バッファメモリ１９の容量が容量が小さければ第２又は第３記録形態を選択する。
【０１３２】
ｅ．システムコントローラ２２にて光ディスク１３の種類を検出して、この種類によって例えばＨＤＤ（固定磁気ディスク記録再生装置）やＤＶＤ−ＲＡＭのように高速なシークが可能な場合は第１記録形態を選択し、ＤＶＤ−ＲＷのようにシークに多少時間を要する場合は第２又は第３記録形態を選択してもかまわない。
【０１３３】
ｆ．光ディスク１３上の管理領域を再生し、システムコントローラ２２にて光ディスク１３の記録可能領域の状況を判断することによって、例えば所定以上の連続記録可能な空き領域が十分にある場合は第１記録形態を選択し、所定以上の連続記録可能な空き領域が無く空き領域が点在しているような場合は第２又は第３記録形態を選択してもかまわない。
【０１３４】
尚、上記ａ〜ｆ項以外にも様々な仕様によって選択することができる。
【０１３５】
【発明の効果】
以上詳述したように本発明に係る情報信号再生装置、情報信号記録装置、情報信号記録再生装置によると、第１，第２，……，第ｎの情報信号を第１，第２，……，第ｎの領域に記録及び／又は再生する情報信号記録媒体と、それぞれの転送レートの第１，第２，……，第ｎの情報信号を一時的に記憶するバッファメモリとの間で、この情報信号記録媒体の径方向に移動自在な一つのヘッドによりそれぞれの転送レートより速い一定の転送レートで時分割に転送する際、一つのヘッドによるによるｎ個の情報信号への転送レート…Ｒｐ、ｎ個の情報信号の各転送レートの総和…ΣＲｎ、ｎ個の情報信号の各容量の総和…ΣＹｎ、ヘッドが情報信号記録媒体上での現在の領域から次の領域に移動に要する各シーク時間の総和…ΣＳｎ、前記ヘッドが前記情報信号記録媒体上の現在の信号層から次の信号層に移動に要する時間の総和…ΣＦｍとし、前記ヘッドが前記情報信号記録媒体上の１つの信号層から複数の信号を再生する場合には、ΣＹｎ≧Ｒｐ×ΣＲｎ×ΣＳｎ／（Ｒｐ−ΣＲｎ）前記ヘッドが前記情報信号記録媒体上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式を満たすようにしたので、これにより、情報信号記録媒体の最大の転送能力を引き出すことができ、且つ、バッファメモリ内でｎ個の情報信号の領域を効率よく分割できると共に、ユーザとしてはスムースにｎ個の情報信号の連続再生、連続記録、又は連続記録再生等の機能が得られるなどの効果を奏するものである。
【０１３６】
また、一つのヘッドによるｎ個の情報信号への転送レート…Ｒｐ、ｎ個の情報信号の各転送レートの総和…ΣＲｎ、ｎ個の情報信号の各容量の総和…ΣＹｎ、ヘッドが情報信号記録媒体上での現在の領域から次の領域に移動に要する許容シーク時間…Ｓ、前記ヘッドが前記情報信号記録媒体上の現在の信号層から次の信号層に移動に要する時間の総和…ΣＦｍとし、前記ヘッドが前記情報信号記録媒体上の１つの信号層から複数の信号を再生する場合には、ΣＹｎ≧Ｒｐ×ΣＲｎ×ΣＳｎ／（Ｒｐ−ΣＲｎ）、前記ヘッドが前記情報信号記録媒体上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式を満たすようにしたので、上記と同様な効果が得られるものである。
【０１３７】
さらに、一つのヘッドによるｎ個の情報信号への転送レート…Ｒｐ、ｎ個の情報信号の各転送レートの総和…ΣＲｎ、バッファメモリの容量…Ｙｍ、ヘッドが情報信号記録媒体上での現在の領域から次の領域に移動に要する各シーク時間の総和…ΣＳｎ、前記ヘッドが前記情報信号記録媒体上の現在の信号層から次の信号層に移動に要する時間の総和…ΣＦｍとし、前記ヘッドが前記情報信号記録媒体上の１つの信号層から複数の信号を再生する場合には、ΣＹｎ≧Ｒｐ×ΣＲｎ×ΣＳｎ／（Ｒｐ−ΣＲｎ）、前記ヘッドが前記情報信号記録媒体上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式を満たすようにしたので、上記と同様な効果が得られるものである。
【０１３８】
さらにまた、本発明に係る情報信号記録装置によると、第１，第２，……，第ｎの情報信号を第１，第２，……，第ｎの領域に記録及び／又は再生する情報信号記録媒体と、それぞれの転送レートの第１，第２，……，第ｎの情報信号を一時的に記憶するバッファメモリとの間で、この情報信号記録媒体の径方向に移動自在な一つのヘッドによりそれぞれの転送レートより速い一定の転送レートで時分割に転送する際、一つのヘッドによるによるｎ個の情報信号への転送レート…Ｒｐ、ｎ個の情報信号の各転送レートの総和…ΣＲｎ、ｎ個の情報信号の各容量の総和…ΣＹｎ、ヘッドが情報信号記録媒体上での現在の領域から次の領域に移動に要する各シーク時間の総和…ΣＳｎ、前記ヘッドが前記情報信号記録媒体上の現在の信号層から次の信号層に移動に要する時間の総和…ΣＦｍとし、前記ヘッドが前記情報信号記録媒体上の１つの信号層から複数の信号を再生する場合には、ΣＹｎ≧Ｒｐ×ΣＲｎ×ΣＳｎ／（Ｒｐ−ΣＲｎ）、前記ヘッドが前記情報信号記録媒体上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式を満たす場合には、バッファメモリから時分割で読み出したｎ個の情報信号をヘッドを介して情報信号記録媒体上のｎ個の領域に時分割で記録し、一方、上記関係式を満たさない場合には、ｎ個の情報信号のうちから記録すべき情報信号の数を減らしてｎ’（但し、２≦ｎ’＜ｎ）個の情報信号を選び、このｎ’個の情報信号に対して再度上記関係式を満たすか否かを判断し、ｎ’個の情報信号が上記関係式を満たして記録可能な場合にｎ’個の情報信号をヘッドを介して情報信号記録媒体上のｎ’個の領域に時分割で記録するか、あるいは、上記関係式を満たさない場合には、ｎ個の情報信号をヘッドを介して情報信号記録媒体上の同一の領域に時分割で記録するようにしているので、とくに、上記関係式を満たさない場合の対応が明確になり、情報信号記録装置及び情報信号通信装置の使用勝手が良好になる。
【０１３９】
さらにまた、本発明に係る情報信号記録装置によると、第１，第２，……，第ｎの情報信号を第１，第２，……，第ｎの領域に記録及び／又は再生する情報信号記録媒体と、それぞれの転送レートの第１，第２，……，第ｎの情報信号を一時的に記憶するバッファメモリとの間で、この情報信号記録媒体の径方向に移動自在な一つのヘッドによりそれぞれの転送レートより速い一定の転送レートで時分割に転送する際、一つのヘッドによるによるｎ個の情報信号への転送レート…Ｒｐ、ｎ個の情報信号の各転送レートの総和…ΣＲｎ、ｎ個の情報信号の各容量の総和…ΣＹｎ、ヘッドが情報信号記録媒体上での現在の領域から次の領域に移動に要する各シーク時間の総和…ΣＳｎ、前記ヘッドが前記情報信号記録媒体上の現在の信号層から次の信号層に移動に要する時間の総和…ΣＦｍとし、前記ヘッドが前記情報信号記録媒体上の１つの信号層から複数の信号を再生する場合には、ΣＹｎ≧Ｒｐ×ΣＲｎ×ΣＳｎ／（Ｒｐ−ΣＲｎ）、前記ヘッドが前記情報信号記録媒体上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式に基づいて、バッファメモリから時分割で読み出したｎ個の情報信号をヘッドを介して情報信号記録媒体上の少なくとも２以上の領域に時分割して記録する第１の記録モードと、ｎ個の情報信号をヘッドを介して情報信号記録媒体上の同一の領域に時分割して記録する第２の記録モードとを持ち、第１の記録モードと第２の記録モードとを選択可能としたので、第１又は第２の記録モードの選択は、記録する情報信号の種類によって決定するか、ユーザーの選択によって決定するか、情報信号記録装置の仕様によって決定するか、情報信号記録媒体の種類によって決定するか、情報信号記録媒体の記録可能な領域の状況によって決定するか、のいずれかを選択できるので、これまた、上記関係式を満たさない場合の対応が明確になり、情報信号記録装置及び情報信号通信装置の使用勝手が良好になる。
【０１４０】
さらにまた、情報信号再生装置、情報信号記録装置及び情報信号記録再生装置のいずれかの装置内に設けたバッファメモリは、ｎ個の情報信号を一時的にそれぞれ記憶するｎ個の領域を、ｎ個の情報信号の各転送レートの値に応じて分割するとか、あるいは、ｎ個の情報信号のそれぞれの記録又は再生のモードに応じて分割したため、バッファメモリの効率を高めることができる。
【０１４１】
さらにまた、本発明に係る情報記録媒体によると、ｎ個の情報信号をｎ個の領域にそれぞれ予め記録し、且つ、装置内に設けた移動自在な一つのヘッドによりｎ個の情報信号を時分割再生して一定の転送レートでｎ個の情報信号を装置内のバッファメモリに一時的に記憶させ、ヘッドによるｎ個の情報信号への転送レートと、バッファメモリから出力するｎ個の情報信号の各転送レートとの差を該バッファメモリで吸収してｎ個の情報信号を再生できるように再生専用の情報信号記録媒体を形成する際、ヘッドによるｎ個の情報信号への転送レート…Ｒｐ、ｎ個の情報信号の各転送レートの総和…ΣＲｎ、ｎ個の情報信号の各容量の総和…ΣＹｎ、ヘッドが情報信号記録媒体上での現在の領域から次の領域に移動に要する各シーク時間の総和…ΣＳｎ、前記ヘッドが前記情報信号記録媒体上の現在の信号層から次の信号層に移動に要する時間の総和…ΣＦｍとし、前記ヘッドが前記情報信号記録媒体上の１つの信号層から複数の信号を再生する場合には、ΣＹｎ≧Ｒｐ×ΣＲｎ×ΣＳｎ／（Ｒｐ−ΣＲｎ）、前記ヘッドが前記情報信号記録媒体上の複数の信号層から複数の信号を再生する場合には、ΣＹｎ≧Ｒｐ×ΣＲｎ×（ΣＳｎ＋ΣＦｍ）／（Ｒｐ−ΣＲｎ）の関係式を満たすように形成したので、再生専用の情報信号記録媒体内にｎ個の情報信号を効率良く配置できる。
【図面の簡単な説明】
【図１】本発明に係る第１実施例の情報信号記録及び／又は再生装置の全体構成を説明するためのブロック図である。
【図２】本発明に係る第１実施例の情報信号記録及び／又は再生装置において、光ディスク上の第１，第２，……，第ｎの領域と、トラック・バッファメモリ内の第１，第２，……，第ｎの領域との間で、第１，第２，……，第ｎの情報信号を一つの光ピックアップにより時分割で記録及び／又は再生する状態を模式的に示した図である。
【図３】光ディスク上で第１，第２，……，第ｎの領域（データ領域）のアドレスと、管理領域のアドレスとを示した図である。
【図４】光ディスクから第１〜第ｎの情報信号を一つの光ピックアップにより時分割で再生する状態を示したタイミングチャートである。
【図５】光ディスクに第１，第２，……，第ｎの情報信号を一つの光ピックアップにより時分割で記録する状態を示したタイミングチャートである。
【図６】本発明に係る第２実施例の情報信号通信装置の全体構成を説明するためのブロック図である。
【図７】本発明に係る情報信号記録装置において、（１１式）の関係式を満たさない場合の第１記録態様を説明するための図である。
【図８】本発明に係る情報信号記録装置において、（１１式）の関係式を満たさない場合の第１記録態様の変形例を説明するための図である。
【図９】本発明に係る情報信号記録装置において、（１１式）の関係式を満たさない場合の第２記録態様を説明するための図である。
【図１０】本発明に係る情報信号記録装置において、（１１式）の関係式を満たさない場合の第３記録態様を説明するための図である。
【図１１】複数層の信号面有する光ディスクの信号層とアドレス配置を示した図である。
【図１２】複数層の信号面有する光ディスクの信号層を光ディスクに第１，第２，第ｎの情報信号を一つの光ピックアップにより時分割で再生又は記録する状態を示した図である。
【符号の説明】
１０…情報信号記録及び／又は再生装置、
１３…情報信号記録媒体（光ディスク）、
１３ａ…第１の領域、１３ｂ…第１の領域、１３ｎ…第ｎの領域、
１４…ヘッド（光ピックアップ）、
１９…トラック・バッファメモリ、
１９ａ…第１の領域、１９ｂ…第１の領域、１９ｎ…第ｎの領域、
２０…オーディオ・ビデオ／エンコーダ・デコーダ（ＡＶ−ＥＮＤＥＣ）、
２６ａ〜２６ｎ…入力端子、
３０……情報信号通信装置、
３１…ＡＴＡＰＩインターフェース、３２…ホスト、
４１…衛星放送受信用アンテナ、４２…ディジタル衛星デコーダ部、
４４…ストリーム変換部、４５…インターネット端子。
【図１】
2004234752.tif 000003
【図２】
2004234752.tif 000004
【図３】
2004234752.tif 000005
【図４】
2004234752.tif 000006
【図５】
2004234752.tif 000007
【図６】
2004234752.tif 000008
【図７】
2004234752.tif 000009
【図８】
2004234752.tif 000010
【図９】
2004234752.tif 000011
【図１０】
2004234752.tif 000012
【図１１】
2004234752.tif 000013
【図１２】
2004234752.tif 000014